(57)【要約】【課題】ジャンピングするおそれの低減及び昇圧性能の向上の少なくとも一方を実現できる射出装置を提供する。【解決手段】射出装置９は、成形材料を前方の金型１０１内へ押し出すプランジャ２３の後部に連結される増圧式の射出シリンダ２７と、射出シリンダ２７における作動液の流れを制御する液圧装置２８と、液圧装置２８を制御する制御装置１３とを有している。射出シリンダ２７の内部は、射出ピストン３１によって射出ロッド側室２９ｒと射出ヘッド側室２９ｈとに区画され、増圧ピストン３５によって、小径シリンダ部３３ａの内部と、増圧ロッド側室３３ｒと、増圧ヘッド側室３３ｈとに区画されている。制御装置１３は、射出開始前に、増圧ヘッド側室３３ｈへ作動液を供給して増圧ロッド側室３３ｒから射出ロッド側室２９ｒへ液圧を付与するように液圧装置２８を制御する与圧制御部１３ａを有している。【選択図】図２
2019181537.tif 000002
【特許請求の範囲】
【請求項１】
成形材料を前方の金型内へ押し出すプランジャを駆動する射出シリンダと、
前記射出シリンダにおける作動液の流れを制御する液圧装置と、
前記液圧装置を制御する制御装置と、
を有しており、
前記射出シリンダは、
前記プランジャの後部に連結される射出ピストンロッドと、
前記射出ピストンロッドの後部に固定されている射出ピストンと、
前記射出ピストンを摺動可能に収容しており、内部が前記射出ピストンによって前方の射出ロッド側室と、後方の射出ヘッド側室とに区画されている射出シリンダ部と、
前記射出ヘッド側室に通じている小径シリンダ部と、
前記小径シリンダ部に直列に続いており、前記小径シリンダ部よりも径が大きい大径シリンダ部と、
前記小径シリンダ部に摺動可能に収容されている小径ピストンと、
前記小径ピストンに直列に固定されており、前記大径シリンダ部に摺動可能に収容されており、前記大径シリンダ部内を前記小径シリンダ部側の増圧ロッド側室と、その反対側の増圧ヘッド側室とに区画している大径ピストンと、を有しており、
前記制御装置は、射出開始前に、前記増圧ヘッド側室へ作動液を供給して前記増圧ロッド側室から前記射出ロッド側室へ液圧を付与する与圧を行うように前記液圧装置を制御する与圧制御部を有している
射出装置。
【請求項２】
前記与圧制御部は、前記与圧の際に、前記射出ヘッド側室の圧抜きを行うように前記液圧装置を制御する
請求項１に記載の射出装置。
【請求項３】
前記射出シリンダは、前記射出シリンダ部に固定的な、前記射出ピストンの後退を規制するストッパを有している
請求項１又は２に記載の射出装置。
【請求項４】
前記小径シリンダ部は、前記射出シリンダ部の後側に対して直列に続いており、
前記小径シリンダ部の内径は、前記射出シリンダ部の内径よりも小さく、
前記射出シリンダ部と小径シリンダ部との間の段差によって前記ストッパが構成されている
請求項３に記載の射出装置。
【請求項５】
前記射出ピストンの前記射出ヘッド側室における受圧面積Ｓ１の、前記射出ピストンの前記射出ロッド側室における受圧面積Ｓ２に対する比Ｓ１／Ｓ２に対する、前記大径ピストンの前記増圧ヘッド側室における受圧面積Ｓ３の、前記大径ピストンの前記増圧ロッド側室における受圧面積Ｓ４に対する比Ｓ３／Ｓ４の比（Ｓ３／Ｓ４）／（Ｓ１／Ｓ２）は、０．９以上１．２以下である。
請求項１〜４のいずれか１項に記載の射出装置。
【請求項６】
前記液圧装置は、前記射出ロッド側室から排出される作動液の流量を制御する流量制御弁を有しており、
前記制御装置は、
前記射出ヘッド側室に作動液を供給するとともに前記流量制御弁を開くことにより射出を開始するように前記液圧装置を制御する射出制御部と、
前記増圧ヘッド側室に作動液を供給することにより増圧を行うように前記液圧装置を制御する増圧制御部と、を有している
請求項１〜５のいずれか１項に記載の射出装置。
【請求項７】
前記射出ピストンロッドを前記射出シリンダ部に対して駆動可能な電動式駆動部を更に有しており、
前記液圧装置は、
前記射出ロッド側室の圧力が所定の圧力を超えたときに前記射出ロッド側室から作動液を排出させるリリーフ弁と、
前記射出ロッド側室から排出される作動液の流量を制御する流量制御弁と、を有しており、
前記制御装置は、
前記電動式駆動部の駆動力により低速射出を開始し、その後、前記射出ヘッド側室へ作動液を供給するとともに前記流量制御弁を開くことにより前記低速射出よりも高速な高速射出を行うように前記電動式駆動部及び前記液圧装置を制御する射出制御部と、
前記増圧ヘッド側室に作動液を供給することにより増圧を行うように前記液圧装置を制御する増圧制御部と、を有している
請求項１〜５のいずれか１項に記載の射出装置。
【請求項８】
前記液圧装置は、
前記増圧ヘッド側室へ作動液を供給するアキュムレータと、
前記増圧ロッド側室から排出される作動液の流量を制御する増圧側流量制御弁と、を有しており、
前記制御装置は、
前記与圧から増圧完了まで継続して前記アキュムレータから前記増圧ヘッド側室へ作動液を供給するように前記液圧装置を制御するヘッド制御部と、
前記増圧側流量制御弁を開くことにより増圧を開始するように前記液圧装置を制御する増圧制御部と、を有している
請求項１〜７のいずれか１項に記載の射出装置。
【請求項９】
成形材料を前方の金型内へ押し出すプランジャを駆動する射出シリンダと、
前記射出シリンダにおける作動液の流れを制御する液圧装置と、
前記液圧装置を制御する制御装置と、
を有しており、
前記射出シリンダは、
前記プランジャの後部に連結される射出ピストンロッドと、
前記射出ピストンロッドの後部に固定されている射出ピストンと、
前記射出ピストンを摺動可能に収容しており、内部が前記射出ピストンによって前方の射出ロッド側室と、後方の射出ヘッド側室とに区画されている射出シリンダ部と、
前記射出ヘッド側室に通じている小径シリンダ部と、
前記小径シリンダ部に直列に続いており、前記小径シリンダ部よりも径が大きい大径シリンダ部と、
前記小径シリンダ部に摺動可能に収容されている小径ピストンと、
前記小径ピストンに直列に固定されており、前記大径シリンダ部に摺動可能に収容されており、前記大径シリンダ部内を前記小径シリンダ部側の増圧ロッド側室と、その反対側の増圧ヘッド側室とに区画している大径ピストンと、を有しており、
前記液圧装置は、
前記増圧ヘッド側室へ作動液を供給するアキュムレータと、
前記増圧ロッド側室から排出される作動液の流量を制御する増圧側流量制御弁と、を有しており、
前記制御装置は、
増圧開始前から増圧完了まで継続して前記アキュムレータから前記増圧ヘッド側室へ作動液を供給するように前記液圧装置を制御するヘッド制御部と、
前記増圧側流量制御弁を開くことにより増圧を開始するように前記液圧装置を制御する増圧制御部と、を有している
射出装置。
【請求項１０】
前記液圧装置は、前記増圧ロッド側室から前記射出ロッド側室への作動液の流れを許容及び禁止可能な与圧用バルブを有しており、
前記制御装置は、射出開始前に、前記増圧ロッド側室から前記射出ロッド側室へ液圧を付与するように前記与圧用バルブを制御する与圧制御部を有している
請求項９に記載の射出装置。
【請求項１１】
前記液圧装置は、前記射出ロッド側室から排出される作動液の流量を制御する流量制御弁を有しており、
前記増圧制御部は、増圧に亘って前記流量制御弁を全開にするように前記液圧装置を制御する
請求項９又は１０に記載の射出装置。
【請求項１２】
請求項１〜１１のいずれか１項に記載の射出装置と、
前記金型を型締めする型締装置と、
前記金型から成形品を押し出す押出装置と、
を有している成形機。
【発明の詳細な説明】
【技術分野】
【０００１】
本開示は、射出装置及び成形機に関する。成形機は、例えば、ダイカストマシン又は射出成形機である。
【背景技術】
【０００２】
射出装置として、成形材料を金型内に押し出すプランジャを射出シリンダによって駆動するものが知られている（例えば特許文献１）。射出シリンダは、プランジャに連結された射出ピストンロッド、当該射出ピストンロッドに固定された射出ピストン、及び当該射出ピストンを収容する射出シリンダ部を有している。射出シリンダ部の内部は、射出ピストンによって射出ピストンロッドが延び出る側の射出ロッド側室と、その反対側の射出ヘッド側室とに区画されている。そして、射出ヘッド側室に作動液（例えば油）が供給されることによって、射出ピストンが射出ピストンロッド側へ移動し、これにより、プランジャが金型に向かって前進する。射出シリンダの速度（換言すれば射出速度）は、例えば、射出ロッド側室から排出される作動液の流量を制御する流量制御弁（メータアウト回路）によって制御される（例えば特許文献１）。
【０００３】
なお、特許文献１では、サージ圧を抑制するために射出ロッド側室に接続されたアキュムレータが開示されている。また、特に例示しないが、射出シリンダとして、射出ヘッド側室の圧力を上昇させることが可能な増圧ピストンを有しているものが知られている。
【先行技術文献】
【特許文献】
【０００４】
【特許文献１】特開平６−２９７１２８号公報
【発明の概要】
【発明が解決しようとする課題】
【０００５】
メータアウト回路を用いた場合においては、理想的には、射出ピストンは、射出ロッド側室から排出された作動液の流量に相当する速度で前進する。しかし、実際には、例えば、射出ヘッド側室への作動液の供給を開始したとき、射出ピストンから射出ロッド側室の作動液に付与される圧力によって射出ロッド側室の作動液が圧縮され、射出ロッド側室から排出される作動液の流量に相当する速度を超える速度で射出ピストンが前進してしまうことがある。すなわち、いわゆるジャンピング（飛び出し）が生じることがある。その結果、成形品の品質が低下するおそれがある。
【０００６】
従って、ジャンピングするおそれの低減及び昇圧性能の向上の少なくとも一方を実現できる射出装置及び成形機が提供されることが好ましい。
【課題を解決するための手段】
【０００７】
本開示の一態様に係る射出装置は、成形材料を前方の金型内へ押し出すプランジャを駆動する射出シリンダと、前記射出シリンダにおける作動液の流れを制御する液圧装置と、前記液圧装置を制御する制御装置と、を有しており、前記射出シリンダは、前記プランジャの後部に連結される射出ピストンロッドと、前記射出ピストンロッドの後部に固定されている射出ピストンと、前記射出ピストンを摺動可能に収容しており、内部が前記射出ピストンによって前方の射出ロッド側室と、後方の射出ヘッド側室とに区画されている射出シリンダ部と、前記射出ヘッド側室に通じている小径シリンダ部と、前記小径シリンダ部に直列に続いており、前記小径シリンダ部よりも径が大きい大径シリンダ部と、前記小径シリンダ部に摺動可能に収容されている小径ピストンと、前記小径ピストンに直列に固定されており、前記大径シリンダ部に摺動可能に収容されており、前記大径シリンダ部内を前記小径シリンダ部側の増圧ロッド側室と、その反対側の増圧ヘッド側室とに区画している大径ピストンと、を有しており、前記制御装置は、射出開始前に、前記増圧ヘッド側室へ作動液を供給して前記増圧ロッド側室から前記射出ロッド側室へ液圧を付与する与圧を行うように前記液圧装置を制御する与圧制御部を有している。
【０００８】
一例において、前記与圧制御部は、前記与圧の際に、前記射出ヘッド側室の圧抜きを行うように前記液圧装置を制御する。
【０００９】
一例において、前記射出シリンダは、前記射出シリンダ部に固定的な、前記射出ピストンの後退を規制するストッパを有している。
【００１０】
一例において、前記小径シリンダ部は、前記射出シリンダ部の後側に対して直列に続いており、前記小径シリンダ部の内径は、前記射出シリンダ部の内径よりも小さく、前記射出シリンダ部と小径シリンダ部との間の段差によって前記ストッパが構成されている。
【００１１】
一例において、前記射出ピストンの前記射出ヘッド側室における受圧面積Ｓ１の、前記射出ピストンの前記射出ロッド側室における受圧面積Ｓ２に対する比Ｓ１／Ｓ２に対する、前記大径ピストンの前記増圧ヘッド側室における受圧面積Ｓ３の、前記大径ピストンの前記増圧ロッド側室における受圧面積Ｓ４に対する比Ｓ３／Ｓ４の比（Ｓ３／Ｓ４）／（Ｓ１／Ｓ２）は、０．９以上１．２以下である。
【００１２】
一例において、前記液圧装置は、前記射出ロッド側室から排出される作動液の流量を制御する流量制御弁を有しており、前記制御装置は、前記射出ヘッド側室に作動液を供給するとともに前記流量制御弁を開くことにより射出を開始するように前記液圧装置を制御する射出制御部と、前記増圧ヘッド側室に作動液を供給することにより増圧を行うように前記液圧装置を制御する増圧制御部と、を有している。
【００１３】
一例において、前記射出装置は、前記射出ピストンロッドを前記射出シリンダ部に対して駆動可能な電動式駆動部を更に有しており、前記液圧装置は、前記射出ロッド側室の圧力が所定の圧力を超えたときに前記射出ロッド側室から作動液を排出させるリリーフ弁と、前記射出ロッド側室から排出される作動液の流量を制御する流量制御弁と、を有しており、前記制御装置は、前記電動式駆動部の駆動力により低速射出を開始し、その後、前記射出ヘッド側室へ作動液を供給するとともに前記流量制御弁を開くことにより前記低速射出よりも高速な高速射出を行うように前記電動式駆動部及び前記液圧装置を制御する射出制御部と、前記増圧ヘッド側室に作動液を供給することにより増圧を行うように前記液圧装置を制御する増圧制御部と、を有している。
【００１４】
一例において、前記液圧装置は、前記増圧ヘッド側室へ作動液を供給するアキュムレータと、前記増圧ロッド側室から排出される作動液の流量を制御する増圧側流量制御弁と、を有しており、前記制御装置は、前記与圧から増圧完了まで継続して前記アキュムレータから前記増圧ヘッド側室へ作動液を供給するように前記液圧装置を制御するヘッド制御部と、前記増圧側流量制御弁を開くことにより増圧を開始するように前記液圧装置を制御する増圧制御部と、を有している。
【００１５】
本開示の一態様に係る射出装置は、成形材料を前方の金型内へ押し出すプランジャを駆動する射出シリンダと、前記射出シリンダにおける作動液の流れを制御する液圧装置と、前記液圧装置を制御する制御装置と、を有しており、前記射出シリンダは、前記プランジャの後部に連結される射出ピストンロッドと、前記射出ピストンロッドの後部に固定されている射出ピストンと、前記射出ピストンを摺動可能に収容しており、内部が前記射出ピストンによって前方の射出ロッド側室と、後方の射出ヘッド側室とに区画されている射出シリンダ部と、前記射出ヘッド側室に通じている小径シリンダ部と、前記小径シリンダ部に直列に続いており、前記小径シリンダ部よりも径が大きい大径シリンダ部と、前記小径シリンダ部に摺動可能に収容されている小径ピストンと、前記小径ピストンに直列に固定されており、前記大径シリンダ部に摺動可能に収容されており、前記大径シリンダ部内を前記小径シリンダ部側の増圧ロッド側室と、その反対側の増圧ヘッド側室とに区画している大径ピストンと、を有しており、前記液圧装置は、前記増圧ヘッド側室へ作動液を供給するアキュムレータと、前記増圧ロッド側室から排出される作動液の流量を制御する増圧側流量制御弁と、を有しており、前記制御装置は、増圧開始前から増圧完了まで継続して前記アキュムレータから前記増圧ヘッド側室へ作動液を供給するように前記液圧装置を制御するヘッド制御部と、前記増圧側流量制御弁を開くことにより増圧を開始するように前記液圧装置を制御する増圧制御部と、を有している。
【００１６】
一例において、前記液圧装置は、前記増圧ロッド側室から前記射出ロッド側室への作動液の流れを許容及び禁止可能な与圧用バルブを有しており、前記制御装置は、射出開始前に、前記増圧ロッド側室から前記射出ロッド側室へ液圧を付与するように前記与圧用バルブを制御する与圧制御部を有している。
【００１７】
一例において、前記液圧装置は、前記射出ロッド側室から排出される作動液の流量を制御する流量制御弁を有しており、前記増圧制御部は、増圧に亘って前記流量制御弁を全開にするように前記液圧装置を制御する。
【００１８】
本開示の一態様に係る成形機は、上記の射出装置と、前記金型を型締めする型締装置と、前記金型から成形品を押し出す押出装置と、を有している。
【発明の効果】
【００１９】
上記の構成によれば、ジャンピングするおそれの低減及び昇圧性能の向上の少なくとも一方を実現できる。
【図面の簡単な説明】
【００２０】
【図１】本開示の第１実施形態に係る射出装置を有するダイカストマシンの構成を示す模式図。
【図２】図１の射出装置における液圧系の構成を示す模式図。
【図３】図３（ａ）〜図３（ｃ）は射出シリンダの一部を拡大して示す模式的な断面図。
【図４】図１の射出装置の動作を説明するためのタイミングチャート。
【図５】本開示の第２実施形態に係る射出装置における駆動機構の構成を示す模式図。
【図６】図５の射出装置における液圧系の構成を示す模式図。
【図７】図５の射出装置の動作を説明するためのタイミングチャート。
【図８】図８（ａ）及び図８（ｂ）は射出シリンダの変形例を示す模式図。
【図９】本開示の第３実施形態に係る射出装置の要部構成を示す模式図。
【図１０】図９の射出装置の動作を説明するためのタイミングチャート。
【発明を実施するための形態】
【００２１】
以下、図面を参照して本開示に係る実施形態及びその変形例について説明する。なお、第２実施形態又は変形例の説明においては、基本的に、既に説明された態様（基本的には第１実施形態）との相違部分についてのみ説明する。特に言及がない点は、既に説明された態様と同様とされてよい。また、既に説明された態様の構成と同一又は類似する構成については、既に説明された態様の構成に付した符号を付すことがある。
【００２２】
＜第１実施形態＞
（ダイカストマシンの全体構成）
図１は、本開示の第１実施形態に係るダイカストマシン１の要部の構成を示す、一部に断面図を含む側面図である。
【００２３】
ダイカストマシン１は、溶解されて液状となった金属材料（溶湯）を金型１０１内（キャビティＣａ等の空間。以下同様。）へ射出し、溶湯を金型１０１内で凝固させることにより、ダイカスト品（成形品）を製造するものである。金属は、例えば、アルミニウム又はアルミニウム合金である。
【００２４】
金型１０１は、例えば、固定金型１０３及び移動金型１０５を含んでいる。本実施形態の説明では、便宜上、固定金型１０３又は移動金型１０５の断面を１種類のハッチングで示すが、これらの金型は、直彫り式のものであってもよいし、入れ子式のものであってもよい。また、固定金型１０３及び移動金型１０５には、中子などが組み合わされてもよい。
【００２５】
ダイカストマシン１は、例えば、成形のための機械的動作を行うマシン本体３と、マシン本体３の動作を制御する制御ユニット５とを有している。
【００２６】
マシン本体３は、例えば、金型１０１の開閉及び型締めを行う型締装置７と、金型１０１内に溶湯を射出する射出装置９と、ダイカスト品を固定金型１０３又は移動金型１０５（図１では移動金型１０５）から押し出す押出装置１１とを有している。マシン本体３において、射出装置９以外の構成（例えば型締装置７及び押出装置１１の構成）は、公知の種々の構成と同様とされてよい。
【００２７】
成形サイクルにおいて、型締装置７は、移動金型１０５を固定金型１０３へ向かって移動させ、型閉じを行う。さらに、型締装置７は、タイバー（符号省略）の伸長量に応じた型締力を金型１０１に付与して型締めを行う。型締めされた金型１０１内には成形品と同一形状のキャビティＣａが構成される。射出装置９は、そのキャビティＣａへ溶湯を射出・充填する。キャビティＣａに充填された溶湯は、金型１０１に熱を奪われて冷却され、凝固する。これにより、成形品が形成される。その後、型締装置７は、移動金型１０５を固定金型１０３から離れる方向へ移動させて型開きを行う。この際、又はその後、押出装置１１は、移動金型１０５から成形品を押し出す。
【００２８】
制御ユニット５は、例えば、各種の演算を行って制御指令を出力する制御装置１３（図２参照）と、画像を表示する表示装置１５と、オペレータの入力操作を受け付ける入力装置１７とを有している。また、別の観点では、制御ユニット５は、例えば、電源回路及び制御回路等を有する不図示の制御盤と、ユーザインターフェースとしての操作部１９とを有している。
【００２９】
制御装置１３は、例えば、不図示の制御盤及び操作部１９に設けられている。制御装置１３は、適宜に分割乃至は分散して構成されてよい。例えば、制御装置１３は、型締装置７、射出装置９及び押出装置１１毎の下位の制御装置と、この下位の制御装置間の同期を図るなどの制御を行う上位の制御装置とを含んで構成されてよい。
【００３０】
表示装置１５及び入力装置１７は、例えば、操作部１９に設けられている。操作部１９は、例えば、型締装置７の固定的部分に設けられている。表示装置１５は、例えば、液晶表示ディスプレイ乃至は有機ＥＬディスプレイを含んだタッチパネルによって構成されている。入力装置１７は、例えば、機械式のスイッチ及び前記のタッチパネルによって構成されている。
【００３１】
（射出装置の構成）
射出装置９は、例えば、金型１０１内に通じるスリーブ２１と、スリーブ２１内を摺動可能なプランジャ２３と、プランジャ２３を駆動する射出駆動部２５とを有している。なお、射出装置９の説明においては、金型１０１側を前方、その反対側を後方ということがある。
【００３２】
スリーブ２１は、例えば、固定金型１０３に連結された筒状部材であり、上面には溶湯をスリーブ２１内に受け入れるための供給口２１ａが開口している。プランジャ２３は、スリーブ２１内を前後方向に摺動可能なプランジャチップ２３ａと、先端がプランジャチップ２３ａに固定されたプランジャロッド２３ｂとを有している。
【００３３】
なお、本開示の説明において２つの部材が固定されているという場合、特に断りがない限り、２つの部材は、一体的に形成されることによって固定されていてもよいし、互いに接合されていてもよいし、ねじなどによって分離可能に連結されていてもよい。
【００３４】
型締装置７による金型１０１の型締めが完了すると、不図示の給湯装置によって１ショット分の溶湯が供給口２１ａからスリーブ２１内へ注がれる。そして、プランジャ２３が図示の位置からスリーブ２１内を前方へ摺動することにより、スリーブ２１内の溶湯が金型１０１内に押し出される（射出される）。
【００３５】
（射出駆動部の構成）
図２は、射出駆動部２５の構成を示す模式図である。
【００３６】
図１及び図２に示すように、射出駆動部２５は、例えば、液圧式のものであり、プランジャ２３に連結された射出シリンダ２７と、射出シリンダ２７に対する作動液（例えば油）の供給等を行う液圧装置２８（図２）とを有している。
【００３７】
（射出シリンダの構成）
図３（ａ）〜図３（ｃ）は、射出シリンダ２７の一部を拡大して示す模式的な断面図である。なお、図３（ａ）〜図３（ｃ）は、射出シリンダ２７の互いに異なる動作状態を示している。
【００３８】
図２及び図３（ａ）〜図３（ｃ）に示すように、射出シリンダ２７は、例えば、いわゆる直結形の増圧式シリンダによって構成されている。具体的には、例えば、射出シリンダ２７は、射出シリンダ部２９と、射出シリンダ部２９の内部を摺動可能な射出ピストン３１と、射出ピストン３１に固定され、射出シリンダ部２９から延び出る射出ピストンロッド３２と、射出シリンダ部２９に通じている増圧シリンダ部３３と、増圧シリンダ部３３の内部を摺動可能な増圧ピストン３５と、を有している。
【００３９】
射出シリンダ部２９は、例えば、内部の断面形状が円形の筒状体である。射出ピストン３１は、例えば、概略円柱状である。射出シリンダ部２９の内部は、射出ピストン３１により、射出ピストンロッド３２が延び出る側（前方）の射出ロッド側室２９ｒと、その反対側（後方）の射出ヘッド側室２９ｈ（符号は図３（ｃ））とに区画されている。射出ヘッド側室２９ｈ及び射出ロッド側室２９ｒに選択的に作動液が供給されることにより、射出ピストン３１は射出シリンダ部２９内を前後方向に移動する。
【００４０】
なお、射出シリンダ２７の構成によっては、射出ピストン３１が後退限に位置しているとき（図２、図３（ａ）及び図３（ｂ））、射出ヘッド側室２９ｈの容積は０になり、又は０に近くなる。本開示の説明では、便宜上、このような状態についても、射出ヘッド側室２９ｈが存在するものとして表現することがある。
【００４１】
増圧シリンダ部３３は、例えば、射出ヘッド側室２９ｈに通じる小径シリンダ部３３ａと、小径シリンダ部３３ａの後方に直列（例えば同軸状）に続いており、小径シリンダ部３３ａよりも内径が大きい大径シリンダ部３３ｂとを有している。小径シリンダ部３３ａ及び大径シリンダ部３３ｂは、それぞれ、内部の断面形状が円形の筒状体である。小径シリンダ部３３ａは、例えば、射出シリンダ部２９の後端に直列（例えば同軸状）に続くように設けられていることによって、その内部が射出ヘッド側室２９ｈに通じている。
【００４２】
なお、図３（ａ）〜図３（ｃ）は、模式図であることから、射出シリンダ部２９及び増圧シリンダ部３３に１つのハッチングを付しているが、実際には、複数の部材が連結されて射出シリンダ部２９及び増圧シリンダ部３３が構成されてよい。その複数の部材の継ぎ目は、射出シリンダ部２９と増圧シリンダ部３３との境界と一致していてもよいし、一致していなくてもよい。また、図３（ａ）〜図３（ｃ）は、模式図であることから、射出シリンダ部２９及び増圧シリンダ部３３は一定の厚みで示されているが、実際には、部位によって厚さが異なっていてよい。後述する他の図面においても同様である。
【００４３】
増圧ピストン３５は、小径シリンダ部３３ａを摺動可能な小径ピストン３５ａと、小径ピストン３５ａに直列（例えば同軸状）に固定されており、大径シリンダ部３３ｂを摺動可能な大径ピストン３５ｂとを有している。小径ピストン３５ａ及び大径ピストン３５ｂは、例えば、それぞれ概略円柱状である。大径シリンダ部３３ｂの内部は、大径ピストン３５ｂにより、小径シリンダ部３３ａ側の増圧ロッド側室３３ｒと、その反対側の増圧ヘッド側室３３ｈ（符号は図３（ｂ）及び図３（ｃ））とに区画されている。
【００４４】
なお、射出シリンダ２７の構成によっては、増圧ピストン３５が後退限に位置しているとき（図２及び図３（ａ））、増圧ヘッド側室３３ｈの容積は０になり、又は０に近くなる。本開示の説明では、便宜上、このような状態についても、増圧ヘッド側室３３ｈが存在するものとして表現することがある。
【００４５】
増圧ロッド側室３３ｒの圧抜きを行うと、小径ピストン３５ａの小径シリンダ部３３ａ内における受圧面積に対して大径ピストン３５ｂの増圧ヘッド側室３３ｈにおける受圧面積が大きいことから、増圧ピストン３５は、増圧ヘッド側室３３ｈの作動液から受ける圧力よりも高い圧力を小径シリンダ部３３ａ及び射出ヘッド側室２９ｈの作動液に加えることが可能である。これにより、射出シリンダ２７は、付与された液圧よりも高い液圧を射出ピストン３１の背後に付与する増圧機能を発揮する。
【００４６】
なお、本実施形態の説明でいうピストンの受圧面積は、作動液の圧力がピストンに作用する面積をピストンの移動方向（軸方向）に投影した面積である。従って、受圧面積は、ピストンの、シリンダ室に露出する面の凹凸に基本的に影響されない。また、ピストンの形状が特異なものでない限り、受圧面積は、ピストンの断面積と概ね同一である。ピストンが直径ｄの円柱状であれば、受圧面積は、π×（ｄ／２）２である。
【００４７】
小径シリンダ部３３ａの内径は、例えば、射出シリンダ部２９（射出ヘッド側室２９ｈ）の内径よりも小さくされている。これにより、射出シリンダ部２９と増圧シリンダ部３３との間には段差が構成されている。この段差は、射出ピストン３１に対して後方から当接して射出ピストン３１の後退を規制する（後退限を規定する）ストッパ３６（符号は図３（ａ）〜図３（ｃ））として機能する。ストッパ３６は、例えば、射出ピストン３１の後端面の外周側部分に対して全周に亘って当接する。
【００４８】
図１に示すように、射出シリンダ２７は、例えば、プランジャ２３に対して同軸的に配置されている。そして、射出ピストンロッド３２は、その先端がプランジャ２３の後端にカップリング（符号省略）を介して連結されている。射出シリンダ部２９は、不図示の型締装置などに対して固定的に設けられている。従って、射出ピストン３１の射出シリンダ部２９に対する移動により、プランジャ２３はスリーブ２１内を前進又は後退する。
【００４９】
（ジャンピング抑制の原理）
上記のような構成においては、例えば、射出ヘッド側室２９ｈへ作動液が供給され、射出ピストン３１が前進することによって射出が行われる。射出ピストン３１の速度は、例えば、射出ロッド側室２９ｒから排出される作動液の流量を調整することによって制御される。すなわち、射出速度は、メータアウト回路によって制御される。
【００５０】
このような場合において、射出ヘッド側室２９ｈへ作動液の供給を開始したときに、射出ロッド側室２９ｒにおける作動液の圧縮に起因して、射出ロッド側室２９ｒから排出される作動液の流量に相当する速度を超える速度で射出ピストン３１が駆動される（ジャンピングが生じる）おそれがある。
【００５１】
そこで、本実施形態では、例えば、射出ヘッド側室２９ｈへ作動液を供給する前に、予め射出ロッド側室２９ｒの作動液を圧縮しておき、これにより、ジャンピングが生じるおそれを低減する。
【００５２】
具体的には、射出開始前に、増圧ロッド側室３３ｒから射出ロッド側室２９ｒへの流れが許容され、かつこれら２つのシリンダ室全体としては作動液の排出が禁止された状態で、増圧ヘッド側室３３ｈに作動液を供給する。その結果、増圧ピストン３５が比較的小さい移動量δ（図３（ｂ））で前進し、増圧ロッド側室３３ｒ及び射出ロッド側室２９ｒの作動液が圧縮される。この際、小径シリンダ部３３ａは、例えば、圧抜きされる。
【００５３】
大径ピストン３５ｂの増圧ロッド側室３３ｒにおける受圧面積は、大径ピストン３５ｂの増圧ヘッド側室３３ｈにおける受圧面積よりも小さいから、大径ピストン３５ｂは、増圧ヘッド側室３３ｈの作動液から受ける圧力よりも高い圧力を増圧ロッド側室３３ｒの作動液に加えることが可能である。
【００５４】
具体的には、図３（ｃ）に示すように、大径ピストン３５ｂの増圧ヘッド側室３３ｈにおける受圧面積をＳ３、大径ピストン３５ｂの増圧ロッド側室３３ｒにおける受圧面積をＳ４（＜Ｓ３）とすると、大径ピストン３５ｂは、増圧ヘッド側室３３ｈの圧力をＳ３／Ｓ４倍して増圧ロッド側室３３ｒに付与することができる。なお、厳密には、増圧ヘッド側室３３ｈの圧力と増圧ロッド側室３３ｒの圧力との比は、増圧ピストン３５の摺動抵抗等の影響を受けるが、本開示の説明では、便宜上、そのような影響については無視することがある。
【００５５】
ここで、射出ピストン３１の射出ロッド側室２９ｒにおける受圧面積は、射出ピストンロッド３２によって減じられている。すなわち、射出ピストン３１は、射出ロッド側室２９ｒにおける受圧面積よりも射出ヘッド側室２９ｈにおける受圧面積が大きい。従って、射出ピストン３１は、射出ヘッド側室２９ｈの圧力を増圧して射出ロッド側室２９ｒに付与する増圧作用を生じ得る。この増圧作用もジャンピングを生じさせる一因である。そこで、例えば、増圧ピストン３５による増圧ロッド側室３３ｒに対する増圧作用は、上記の射出ピストン３１における増圧作用に対して同等若しくは同等以上、又は射出ピストン３１における増圧作用よりも大きくされてよい。
【００５６】
具体的には、例えば、図３（ｃ）に示すように、射出ピストン３１の射出ヘッド側室２９ｈにおける受圧面積をＳ１、射出ピストン３１の射出ロッド側室２９ｒにおける受圧面積をＳ２（＜Ｓ１）とする。また、例えば、２つの増圧比の差が１割程度の場合は、２つの増圧比は概ね同等であるものと捉えるものとする。このとき、面積比Ｓ３／Ｓ４は、例えば、面積比Ｓ１／Ｓ２の０．９倍以上１．１倍以下（すなわち同等）とされてよい。また、例えば、面積比Ｓ３／Ｓ４は、面積比Ｓ１／Ｓ２の０．９倍以上（すなわち同等以上）とされてよい。また、例えば、面積比Ｓ３／Ｓ４は、面積比Ｓ１／Ｓ２の１．１倍以上１．２倍以下とされてよい。また、例えば、これらを組み合わせて、面積比Ｓ３／Ｓ４は、面積比Ｓ１／Ｓ２の０．９倍以上１．２倍以下とされてよい。
【００５７】
なお、図３（ａ）に示すように、射出ピストン３１の直径をｄ１、射出ピストンロッド３２の直径をｄ２、大径ピストン３５ｂの直径をｄ３、小径ピストン３５ａの直径をｄ４とする。また、これらの形状がそれぞれ円柱形であるとする。この場合、Ｓ１／Ｓ２とＳ３／Ｓ４とが概ね同等の態様では、ｄ１／ｄ２とｄ３／ｄ４とは概ね同等である。
【００５８】
（液圧装置の構成）
液圧装置２８は、通常の射出動作に加えて、増圧ピストン３５によって射出ロッド側室２９ｒの圧力を予め上昇させる動作が可能である限り、適宜な構成とされてよい。以下では、その一例について説明する。
【００５９】
図２に示すように、液圧装置２８は、例えば、作動液を貯留するタンク３７と、タンク３７の作動液を送出可能なポンプ３９と、蓄圧された作動液を放出可能なアキュムレータ４１と、これら及び射出シリンダ２７を互いに接続する複数の流路（４３Ａ〜４３Ｈ等）と、当該複数の流路における作動液の流れを制御する複数のバルブ（４５、４７、４９、５１、５３、５４及び５５）とを有している。
【００６０】
タンク３７は、例えば、開放タンクであり、大気圧下で作動液を保持している。タンク３７は、例えば、ポンプ３９及びアキュムレータ４１を介して射出シリンダ２７に作動液を供給し、また、射出シリンダ２７から排出された作動液を収容する。
【００６１】
ポンプ３９は、ポンプ電動機４０によって駆動され、作動液を送出する。ポンプ３９は、ロータリポンプ、プランジャポンプ、定容量ポンプ、可変容量ポンプ、１方向ポンプ、双方向（２方向）ポンプ等の適宜な方式のものとされてよい。ポンプ電動機４０は、直流モータ、交流モータ、誘導モータ、同期モータ、サーボモータ等の適宜な方式のものとされてよい。ポンプ３９（ポンプ電動機４０）は、ダイカストマシン１の稼働中において常時駆動されてもよいし、必要なときだけ駆動されてもよい。ポンプ３９は、例えば、アキュムレータ４１に対する作動液の供給（アキュムレータ４１の蓄圧）、及び、射出シリンダ２７に対する作動液の供給に寄与する。
【００６２】
アキュムレータ４１は、例えば、重量式、ばね式、気体圧式（空気圧式含む）、シリンダ式又はプラダ式のものである。図示の例では、アキュムレータ４１は、シリンダ式のものであり、シリンダ部４１ａと、シリンダ部４１ａを液体室４１ｅと気体室４１ｆとに区画するピストン４１ｂとを有している。液体室４１ｅには作動液が収容され、気体室４１ｆには気体（例えば空気又は窒素）が充填される。液体室４１ｅに作動液が供給され、ピストン４１ｂが気体室４１ｆ側へ移動することにより、気体室４１ｆの気体が圧縮され、アキュムレータ４１は蓄圧される。また、その気体の圧力を利用して、液体室４１ｅから作動液が放出される。アキュムレータ４１は、例えば、射出シリンダ２７に対する作動液の供給に寄与する。
【００６３】
第１流路４３Ａは、ポンプ３９とアキュムレータ４１（液体室４１ｅ）とを接続している。これにより、例えば、ポンプ３９からアキュムレータ４１へ作動液を供給してアキュムレータ４１を蓄圧することができる。
【００６４】
第２流路４３Ｂは、アキュムレータ４１（液体室４１ｅ）と射出ヘッド側室２９ｈとを接続している。これにより、例えば、アキュムレータ４１から射出ヘッド側室２９ｈへ作動液を供給して、射出ピストン３１を前進させることができる。
【００６５】
第３流路４３Ｃは、アキュムレータ４１（液体室４１ｅ）と増圧ヘッド側室３３ｈとを接続している。これにより、例えば、アキュムレータ４１から増圧ヘッド側室３３ｈへ作動液を供給して、増圧ピストン３５による増圧作用を得ることができる。
【００６６】
第４流路４３Ｄは、射出ロッド側室２９ｒとタンク３７とを接続している。これにより、例えば、射出ピストン３１の前進に伴って容積が縮小する射出ロッド側室２９ｒの作動液をタンク３７へ排出することができる。
【００６７】
第５流路４３Ｅは、一端が射出ロッド側室２９ｒに接続されており、他端が後述する補助用バルブ５１によってポンプ３９又はタンク３７に接続される。
【００６８】
第６流路４３Ｆは、一端が射出ヘッド側室２９ｈに接続されており、他端が後述する補助用バルブ５１によってポンプ３９又はタンク３７に接続される。
【００６９】
第７流路４３Ｇは、射出ロッド側室２９ｒと増圧ロッド側室３３ｒとを接続している。これにより、例えば、増圧ピストン３５によって増圧された増圧ロッド側室３３ｒの圧力を射出ロッド側室２９ｒに付与して、射出ロッド側室２９ｒの圧力を予め上昇させることができる。
【００７０】
複数の流路（４３Ａ〜４３Ｈ等）は、例えば、鋼管、可撓性のホース又は金属ブロックにより構成されている。複数の流路は、適宜に一部が共通化されてよい。例えば、図２の例では、第１流路４３Ａ〜第３流路４３Ｃは、アキュムレータ４１側の一部が共通化され、第４流路４３Ｄ、第５流路４３Ｅ及び第７流路４３Ｇは、射出ロッド側室２９ｒ側の一部が共通化されている。
【００７１】
射出用バルブ４５は、例えば、第２流路４３Ｂ（そのうち他の流路（４３Ａ及び４３Ｃ）と共通化されていない部分）に設けられており、アキュムレータ４１から射出ヘッド側室２９ｈへの作動液の流れを許容又は禁止する。射出用バルブ４５は、例えば、パイロット式の逆止弁により構成されており、パイロット圧が導入されていないときは、アキュムレータ４１から射出ヘッド側室２９ｈへの作動液の流れを許容するとともに、その反対方向の流れを禁止し、パイロット圧が導入されているときは、双方の流れを禁止する。なお、射出用バルブ４５は、射出ヘッド側室２９ｈからの作動液の逆流防止にも寄与する。
【００７２】
増圧用バルブ４７は、例えば、第３流路４３Ｃ（そのうち他の流路（４３Ａ及び４３Ｂ）と共通化されていない部分）に設けられており、アキュムレータ４１から増圧ヘッド側室３３ｈへの作動液の流れを許容又は禁止する。増圧用バルブ４７は、例えば、流量制御弁によって構成されている。増圧用バルブ４７は、圧力補償を行うもの（流量調整弁）であってもよし、圧力補償を行わないものであってもよい。また、増圧用バルブ４７の制御方式は、例えば、ばね式、電磁式及びパイロット式並びにこれらの２つ以上の組み合わせのいずれであってもよい。増圧用バルブ４７は、フィードバック制御がなされるサーボバルブであってもよいし、オープン制御がなされる比例弁であってもよい。図２では、増圧用バルブ４７として、ばねによりノーマル位置で閉位置とされ、電磁力とパイロット圧力とが順次作動して開かれる流量調整弁が図示されている。
【００７３】
増圧用バルブ４７は、閉状態における作動液の漏れが比較的少ないノンリーク弁によって構成されてもよい。ノンリーク弁は、そのカタログ乃至は仕様書などにおいて、ノンリーク弁である旨が記載されていることが多く、当該記載に基づいてノンリーク弁であるか否かを特定可能である。
【００７４】
速度用バルブ４９は、例えば、第４流路４３Ｄ（そのうち他の流路（４３Ｅ及び４３Ｇ）と共通化されていない部分）に設けられた流量制御弁であり、例えば、射出ロッド側室２９ｒからタンク３７へ排出される作動液の流量の制御に寄与する。この流量の制御により、射出ピストン３１の前進速度が制御される。すなわち、速度用バルブ４９は、いわゆるメータアウト回路を構成している。速度用バルブ４９は、圧力補償を行うもの（流量調整弁）であってもよし、圧力補償を行わないものであってもよい。また、速度用バルブ４９の制御方式は、例えば、ばね式、電磁式及びパイロット式並びにこれらの２つ以上の組み合わせのいずれであってもよい。速度用バルブ４９は、フィードバック制御がなされるサーボバルブであってもよいし、オープン制御がなされる比例弁であってもよい。図２では、速度用バルブ４９として、ばねによりノーマル位置で閉位置とされ、電磁力とパイロット圧力とが順次作動して開かれる流量調整弁が図示されている。
【００７５】
ここで、図示の例では、射出ロッド側室２９ｒと増圧ロッド側室３３ｒとを接続する第７流路４３Ｇには、当該流路の流れを許容又は禁止するバルブが設けられていない。従って、速度用バルブ４９の開閉によって、射出ロッド側室２９ｒからタンク３７への流れだけでなく、増圧ロッド側室３３ｒからタンク３７への流れも許容又は禁止される。
【００７６】
補助用バルブ５１は、例えば、４ポート３位置の切換弁によって構成されており、４ポート間の接続及び遮断を切り換える。各ポートは、例えば、第５流路４３Ｅ（射出ロッド側室２９ｒ）、第６流路４３Ｆ（射出ヘッド側室２９ｈ及び小径シリンダ部３３ａ）、ポンプ３９又はタンク３７に接続されている。補助用バルブ５１の一のポートとタンク３７とを接続する第８流路４３Ｈは、図示の例では、第４流路４３Ｄのうちの速度用バルブ４９よりも下流側の部分と共通化されている。
【００７７】
また、図示の例では、射出ロッド側室２９ｒと増圧ロッド側室３３ｒとを接続する第７流路４３Ｇは、第５流路４３Ｅと射出ロッド側室２９ｒ側の一部が共通化されているから、補助用バルブ５１の、第５流路４３Ｅ（射出ロッド側室２９ｒ）に接続されているポートは、第７流路４３Ｇ（増圧ロッド側室３３ｒ）にも接続されていることになる。
【００７８】
補助用バルブ５１は、例えば、紙面中央の位置（中立位置及び／又はノーマル位置）では、４ポートの接続を遮断する。なお、以下では、この位置を閉位置ということがある。
【００７９】
また、補助用バルブ５１は、例えば、紙面左側に示す位置（以下、「ａ位置」ということがある。）では、第５流路４３Ｅ（射出ロッド側室２９ｒ）とポンプ３９とを接続し、第６流路４３Ｆ（射出ヘッド側室２９ｈ及び小径シリンダ部３３ａ）とタンク３７とを接続する。これにより、例えば、ポンプ３９から射出ロッド側室２９ｒに作動液を供給して、射出ピストン３１を後退させることができる。
【００８０】
ここで、図示の例では、射出ロッド側室２９ｒと増圧ロッド側室３３ｒとを接続する第７流路４３Ｇには、当該流路の流れを許容又は禁止するバルブが設けられていない。従って、例えば、ポンプ３９から補助用バルブ５１を介して射出ロッド側室２９ｒに作動液を供給する際には、ポンプ３９から増圧ロッド側室３３ｒにも作動液が供給される。その結果、例えば、増圧ピストン３５を後退させる力が得られる。
【００８１】
また、例えば、補助用バルブ５１をａ位置にすることにより、増圧ピストン３５の前進によって増圧ロッド側室３３ｒ及び射出ロッド側室２９ｒの作動液を圧縮するときに、射出ヘッド側室２９ｈ及び小径シリンダ部３３ａの圧抜きを行うことができる。
【００８２】
また、補助用バルブ５１は、紙面右側に示す位置（以下、「ｂ位置」ということがある。）では、第５流路４３Ｅ（射出ロッド側室２９ｒ）とタンク３７とを接続し、第６流路４３Ｆ（射出ヘッド側室２９ｈ）とポンプ３９とを接続する。これにより、ポンプ３９から射出ヘッド側室２９ｈに作動液を供給して、射出ピストン３１を前進させることができる。ただし、本実施形態では、この作動液の流れは必須ではなく、補助用バルブ５１は、閉位置とａ位置との２位置弁であってもよい。
【００８３】
補助用バルブ５１の制御方式は、例えば、ばね式、電磁式及びパイロット式並びにこれらの２つ以上の組み合わせのいずれであってもよい。図２では、補助用バルブ５１として、ばねによりノーマル位置で閉位置（紙面中央の位置）とされ、電磁力とパイロット圧力とが順次作動して制御されるものが図示されている。
【００８４】
バルブ５３は、例えば、第１流路４３Ａ（そのうち他の流路（４３Ｂ及び４３Ｃ）と共通化されていない部分）に設けられた逆止弁であり、ポンプ３９からアキュムレータ４１への流れを許容するとともに、その反対方向の流れを禁止する。
【００８５】
バルブ５４は、例えば、第４流路４３Ｄ（そのうち第８流路４３Ｈと共通化されている部分）に設けられた逆止弁であり、タンク３７への流れを許容するとともに、その反対方向の流れを禁止する。
【００８６】
バルブ５５は、例えば、補助用バルブ５１とポンプ３９とを接続する流路（符号省略）に設けられた逆止弁であり、ポンプ３９から補助用バルブ５１への流れを許容するとともに、その反対方向の流れを禁止する。
【００８７】
上記の他、液圧装置２８は、例えば、タンク３７からポンプ３９への作動液を濾過するフィルタ５７、速度用バルブ４９を介してタンク３７へ流れる作動液を冷却する冷却器５９等を有している。
【００８８】
（制御装置の機能部及びセンサ）
制御装置１３は、例えば、特に図示しないが、ＣＰＵ、ＲＡＭ、ＲＯＭ及び外部記憶装置を含むコンピュータによって構成されている。ＣＰＵがＲＯＭ及び外部記憶装置に記憶されたプログラムを実行することにより、種々の制御乃至は演算を担う複数の機能部が構成される。
【００８９】
図２に示すように、複数の機能部は、例えば、与圧制御部１３ａ、射出制御部１３ｂ及び増圧制御部１３ｃである。与圧制御部１３ａは、射出開始前に射出ロッド側室２９ｒの圧力を上昇させるための制御を行う。射出制御部１３ｂは、成形材料を金型１０１内へ射出するための（狭義の射出のための）制御を行う。増圧制御部１３ｃは、金型１０１内に射出された成形材料の圧力を上昇させるための（増圧のための）制御を行う。
【００９０】
これらの機能部は、例えば、入力装置１７及び各種のセンサ等からの信号に基づいて液圧装置２８へ制御信号を出力する。各種のセンサは、例えば、プランジャ２３の位置を検出する位置センサ６９、及びアキュムレータ４１の圧力を検出する圧力センサ７１である。
【００９１】
位置センサ６９は、例えば、リニアエンコーダを構成している。例えば、位置センサ６９は、不図示のスケール部に対して当該スケール部の軸方向に直交する方向において対向し、スケール部との軸方向における相対移動に応じてパルスを生成する。そして、位置センサ６９及び／又は制御装置１３は、生成されたパルスの数を積算することによって位置センサ６９とスケール部との相対位置を特定可能であり、また、時間当たりのパルスの数を特定することによって速度を特定可能である。
【００９２】
そして、位置センサ６９は、射出シリンダ部２９に対して固定的に設けられ、スケール部は、射出ピストンロッド３２又は射出ピストンロッド３２に固定的な部材に設けられる。従って、射出ピストンロッド３２の位置及び／又は速度が検出されることによって、間接的にプランジャ２３の位置及び／又は速度が検出される。
【００９３】
なお、位置センサ６９は、パルスを出力するだけであってもよいし、位置及び／又は速度を特定し、その特定した位置及び／又は速度に応じた信号を出力してもよい。前者であっても、位置に応じてパルスの総数が異なるから位置に応じた信号を出力しているといえ、また、速度に応じて単位時間当たりのパルス数が異なるから速度に応じた信号を出力しているといえる。後者の場合の信号は、例えば、位置及び／又は速度の変化に応じて信号レベルが変化する信号である。
【００９４】
位置センサ６９は、上記のようなリニアエンコーダの他、例えば、射出シリンダ部２９に対して固定的に設けられ、射出ピストンロッド３２又は射出ピストンロッド３２に対して固定的な部材との距離を測定するレーザ測長器であってもよい。
【００９５】
圧力センサ７１は、例えば、液体室４１ｅの圧力に応じた信号を出力する。圧力に応じた信号は、例えば、圧力の変化に対応して信号レベルが変化する信号である。圧力センサ７１は、ダイヤフラム式など、公知の適宜なものが用いられてよい。また、圧力センサ７１として、液体室４１ｅの圧力を検出するものに加えて、又は代えて、気体室４１ｆの圧力を検出するものが用いられてもよい。
【００９６】
（射出装置の動作）
図４は、射出装置９の動作を説明するためのタイミングチャートである。
【００９７】
図４の上部は、射出速度Ｖ（プランジャ２３の前進速度）及び射出圧力Ｐ（プランジャ２３が溶湯に付与する圧力）の経時変化を示している。図４の上部において、横軸は時間ｔを示し、縦軸は、射出速度Ｖ及び射出圧力Ｐを示している。線ＬＶ及びＬＰは、それぞれ時間ｔの経過に対する射出速度Ｖ及び射出圧力Ｐの変化を示している。
【００９８】
図４の下部は、図４の上部の時間経過に対応する射出用バルブ４５、増圧用バルブ４７、速度用バルブ４９及び補助用バルブ５１の動作を示している。図４の下部において、実線は本実施形態における動作を示しており、２点鎖線は後述する変形例について示している。増圧用バルブ４７及び速度用バルブ４９の「開」は、これらのバルブが開かれているとともに開度が適宜に制御されている状態を示している。なお、制御装置１３が制御信号を出力するタイミングは、バルブの制御遅れ等を考慮して、図示のタイミングよりも早くされてもよい。
【００９９】
射出装置９は、基本的な動作として、例えば、低速射出（概ね時点ｔ０〜ｔ１）、高速射出（概ね時点ｔ１〜ｔ２）、及び増圧（昇圧、概ね時点ｔ３〜）を順に行う。また、低速射出に先立って、ジャンピング防止のために射出ロッド側室２９ｒの圧力を上昇させる（〜ｔ０）。これらの工程の動作は、例えば、以下のとおりである。
【０１００】
（射出開始前の与圧）
与圧の開始前において、射出装置９は、例えば、図１、図２及び図３（ａ）に示すような状態とされている。すなわち、射出ピストン３１及び増圧ピストン３５は、例えば、後退限に位置している。プランジャ２３は、供給口２１ａよりも後方に位置している。アキュムレータ４１は、例えば、所定の圧力まで充填が完了している。ポンプ３９は、既に述べたように、常時駆動されていてもよいし、必要なときだけ駆動されてもよく、後者の場合においては、例えば、停止されている。射出用バルブ４５は、パイロット圧力が導入されて閉じられている。増圧用バルブ４７、速度用バルブ４９及び補助用バルブ５１は、閉位置とされている。
【０１０１】
そして、制御装置１３は、所定の与圧開始条件が満たされると、射出ロッド側室２９ｒへの与圧を開始する。具体的には、制御装置１３は、例えば、増圧用バルブ４７を開くとともに、補助用バルブ５１をａ位置にする。これにより、アキュムレータ４１から増圧ヘッド側室３３ｈに作動液が供給されるとともに、小径シリンダ部３３ａ及び射出ヘッド側室２９ｈの圧抜きが行われる。その結果、図３（ｂ）に示すように、増圧ピストン３５は、前後から受ける力が釣り合うまで（別の観点では距離δだけ）前進し、増圧ロッド側室３３ｒ、及び増圧ロッド側室３３ｒと通じている射出ロッド側室２９ｒの作動液が圧縮される。
【０１０２】
このときの射出ロッド側室２９ｒの圧力Ｐ１（図３（ｂ））は、理論上は、アキュムレータ４１の圧力Ｐ０（図３（ｂ））に増圧ピストン３５による射出ロッド側室２９ｒに係る増圧比Ｓ３／Ｓ４を乗じた大きさ（Ｐ０×Ｓ３／Ｓ４）となる。距離δは、例えば、射出ロッド側室２９ｒへの与圧前の圧力と、圧力Ｐ１と、作動液の圧縮率と、射出ロッド側室２９ｒを含む閉じられた空間の容積とによって決定される。ただし、ポンプ３９が駆動されている場合、図示の例では、ポンプ３９からａ位置の補助用バルブ５１を介して射出ロッド側室２９ｒを含む空間に作動液が供給されるから、ポンプ３９が駆動されていない場合に比較して、距離δは小さくなり得る。
【０１０３】
射出ロッド側室２９ｒへの与圧の際、小径シリンダ部３３ａ及び射出ヘッド側室２９ｈの圧抜きが行われていることから、増圧ピストン３５が前進しても、射出ピストン３１は前進しない。すなわち、プランジャ２３は前進しない。
【０１０４】
与圧開始条件（別の観点では与圧開始時期）は、射出を開始するまでに、増圧ピストン３５による射出ロッド側室２９ｒの作動液の圧縮（与圧）が完了するように、又は圧縮がある程度進むように、適宜に設定されてよい。
【０１０５】
ここでいう圧縮完了又は与圧完了は、例えば、増圧ピストン３５の前後の圧力が釣り合って増圧ピストン３５が停止したこと、別の観点では、射出ロッド側室２９ｒの圧力Ｐ１が上述のＰ０×Ｓ３／Ｓ４（厳密には摺動抵抗等の影響によりこれよりも若干小さい）に到達したこと、さらに別の観点では増圧ピストン３５の移動量が距離δに到達したことである。なお、本開示の説明では、例えば、射出ロッド側室２９ｒの圧力が上昇している途中で増圧用バルブ４７を閉じるような動作は、与圧（圧縮）の停止又は終了等といい、与圧（圧縮）の完了とは言わないものとする。
【０１０６】
与圧開始条件は、具体的には、例えば、型締装置７による型締めが完了したこととされてよい。型締完了は、例えば、リミットスイッチによって検出される。この場合、一般には、型締完了後、不図示の給湯装置によってスリーブ２１へ溶湯が供給され、プランジャ２３の前進が開始されるから、給湯の間に与圧を行うことができる。このように、与圧開始条件は、例えば、射出開始の前提条件（上記の例では型締完了）、又はそのような前提条件が生じてから所定時間が経過したこととされてよい。
【０１０７】
（低速射出）
制御装置１３は、所定の射出開始条件が満たされると（時点ｔ０）、射出ロッド側室２９ｒへの与圧を終了し、プランジャ２３の前進を開始し、さらには、比較的低速の低速射出速度ＶＬでプランジャ２３を前進させる。これにより、溶湯による空気の巻き込みが抑制されつつ、スリーブ２１内の溶湯がキャビティＣａへ向かって押し出されていく。
【０１０８】
具体的には、例えば、制御装置１３は、増圧用バルブ４７を閉じ、アキュムレータ４１から増圧ヘッド側室３３ｈへの作動液の供給を停止する。これにより、アキュムレータ４１の圧力を増圧ピストン３５を介して射出ロッド側室２９ｒへ付与する動作（与圧）が終了する。また、制御装置１３は、例えば、補助用バルブ５１を中立位置とし、射出ヘッド側室２９ｈ及び小径シリンダ部３３ａからタンク３７への作動液の排出を禁止する。これにより、射出開始の準備がなされる。
【０１０９】
続いて、例えば、制御装置１３は、射出用バルブ４５への閉じるパイロット圧力の導入を停止することにより、アキュムレータ４１から射出ヘッド側室２９ｈへ作動液を供給する。また、制御装置１３は、例えば、速度用バルブ４９を適宜な開度で開き、射出ロッド側室２９ｒからタンク３７への作動液の排出を許容する。これにより、射出ピストン３１は前進し、ひいてはプランジャ２３が前進する。
【０１１０】
このとき、既に述べたように、射出ロッド側室２９ｒの圧力が予め上昇していることによって、ジャンピングが抑制される。例えば、理論上は、面積比Ｓ３／Ｓ４が面積比Ｓ１／Ｓ２以上であれば、プランジャ２３は前進しない（ジャンピングは生じない）。
【０１１１】
アキュムレータ４１から射出ヘッド側室２９ｈへ作動液が供給されることによって、増圧ピストン３５は後方へ付勢される。しかし、増圧用バルブ４７は閉じられており、増圧ヘッド側室３３ｈの作動液の排出は禁止されている。従って、図３（ｃ）に示すように、増圧ピストン３５は後退せずに、後退限から距離δで前進した位置が保持される。これにより、例えば、増圧ピストン３５の後退によって小径シリンダ部３３ａの容積が大きくなってしまい、射出ヘッド側室２９ｈへの作動液の供給に対してプランジャ２３の前進に遅れが生じてしまうおそれが低減される。増圧用バルブ４７がノンリーク弁であることによって、この増圧ピストン３５の位置保持の作用は増大する。
【０１１２】
射出開始条件は、例えば、上記のように与圧開始条件が型締完了である場合において、不図示の給湯装置によるスリーブ２１への給湯が完了したこととされてよい。別の観点では、射出開始条件は、射出開始前における射出ロッド側室２９ｒへの与圧を行わない一般的な射出装置における射出開始の前提条件（例えば型締完了及び給湯完了）が全て満たされたことである。
【０１１３】
射出開始条件は、上記のような前提条件が満たされたことに加えて、射出開始前における射出ロッド側室２９ｒへの与圧が完了したことを含んでもよい。与圧完了は、例えば、与圧開始から所定時間が経過したか否かによって判定されてもよいし、不図示の圧力センサによって検出される射出ロッド側室２９ｒ（増圧ロッド側室３３ｒ及び第７流路４３Ｇ）の圧力が所定の閾値に到達したか否かによって判定されてもよい。その他、例えば、増圧ピストン３５の移動又は位置の検出によっても判定可能である。
【０１１４】
上記の例では、与圧開始条件は、射出開始前における射出ロッド側室２９ｒへ与圧を行わない一般的な射出開始の前提条件のうち最終的なもの（例えば給湯完了）を含まず、射出開始条件よりも先に満たされるように設定されている。別の観点では、与圧開始条件は、与圧を行わない一般的な射出に比較して、射出開始に遅れが生じない、又は遅れが減じられるように設定されている。ただし、与圧開始条件は、射出開始の前提条件の最終的なものを含み、射出開始条件は、例えば、与圧が完了したこととされてもよい。
【０１１５】
図示の例では、増圧用バルブ４７及び補助用バルブ５１を閉じると略同時に射出用バルブ４５及び速度用バルブ４９を開いている。ただし、増圧用バルブ４７及び補助用バルブ５１を閉じても、射出ロッド側室２９ｒの圧力は、理論上は（液漏れを考慮しなければ）維持されるから、増圧用バルブ４７及び／又は補助用バルブ５１を閉じる動作と、射出用バルブ４５及び速度用バルブ４９を開く動作との間には時間差があっても構わない。換言すれば、射出開始前における射出ロッド側室２９ｒへの与圧は、射出開始条件が満たされるまで（射出開始まで）継続されている必要はない。ただし、与圧は、射出開始まで継続されていれば、例えば、与圧完了に必要な時間を射出開始前に確保する（別の観点では与圧開始時間を遅らせる）ことが容易化され、また、液漏れによる与圧の効果の低減も生じない。
【０１１６】
また、図示の例では、射出用バルブ４５及び速度用バルブ４９が略同時に開かれているが、射出用バルブ４５を開いた後に、速度用バルブ４９を開いてもよい。なお、この場合、例えば、速度用バルブ４９を開いたときにプランジャ２３の前進が開始される。すなわち、射出開始時は、速度用バルブ４９を開いた時である。
【０１１７】
プランジャ２３の速度は、例えば、速度用バルブ４９の開度を制御することによって制御される。この速度制御は、オープン制御であってもよいし、位置センサ６９の検出する速度に基づくフィードバック制御であってもよい。速度フィードバック制御は、速度自体の偏差を求めるようなものであってもよいし、速度の目標値から求められる時々刻々の（経過時間毎の）目標位置と、検出された位置との偏差を求め、時々刻々と位置フィードバック制御を行うことによって実質的に速度フィードバック制御を行うものであってもよい。
【０１１８】
低速射出速度ＶＬは、適宜に設定されてよいが、例えば、３ｍ／ｓ未満である。低速射出速度ＶＬは、例えば、一定の値である。ただし、適宜な変速制御がなされてもよい。低速射出において、射出圧力は、射出速度が比較的低速であることから、比較的低圧である。
【０１１９】
（高速射出）
プランジャ２３が所定の高速切換位置に到達すると（時点ｔ１）、制御装置１３は、比較的高速の高速射出速度ＶＨでプランジャ２３を前進させる。これにより、例えば、溶湯の凝固に遅れずに速やかに溶湯がキャビティＣａに充填される。高速射出速度ＶＨは適宜に設定されてよいが、例えば、３ｍ／ｓ以上である。高速射出速度ＶＨは、例えば、一定の値である。ただし、適宜な変速制御がなされてもよい。高速射出において、射出圧力は、射出速度が比較的高速であることから、低速射出のときの圧力よりも高い圧力となる。
【０１２０】
上記のような動作のために、制御装置１３は、具体的には、例えば、低速射出から引き続いてアキュムレータ４１から射出ヘッド側室２９ｈへの作動液の供給を継続しつつ、速度用バルブ４９の開度を大きくする。このように速度用バルブ４９の開度を大きくするだけの場合、制御装置１３は、例えば、低速射出から引き続いてオープン制御又はフィードバック制御を行い、単に速度の目標値を低速射出のものから高速射出のものへ変化させるだけでよい。
【０１２１】
制御装置１３は、例えば、プランジャ２３の移動範囲を複数に分けた区間毎に設定された目標速度を経過時間毎のプランジャ２３の位置の目標値に変換して、時々刻々と位置フィードバック制御（実質的な速度フィードバック制御）を行っており、プランジャ２３が高速切換位置に到達したか否か検知しない。ただし、制御装置１３は、位置センサ６９からの信号に基づいてプランジャ２３が所定の高速切換位置に到達したことを検知して速度の目標値を切り換えてもよい。
【０１２２】
（減速）
高速射出の結果、キャビティＣａに溶湯が概ね充填されると（時点ｔ２）、溶湯の圧力は上昇し、これによりプランジャ２３は減速する。なお、適宜な時期に、速度用バルブ４９の開度を絞ることによって減速制御が行われてもよい。減速の結果、プランジャ２３は概ね停止する（時点ｔ４）。
【０１２３】
（増圧及び保圧）
制御装置１３は、上記のようにプランジャ２３の速度が減速されている間に増圧を開始する。具体的には、例えば、制御装置１３は、適宜な時期（ｔ３）に増圧用バルブ４７を開き、アキュムレータ４１から増圧ヘッド側室３３ｈに作動液を供給する。一方、増圧ロッド側室３３ｒは、速度用バルブ４９を介してタンク３７への作動液の排出が許容されている。従って、増圧ピストン３５によって増圧ヘッド側室３３ｈの圧力よりも高い圧力が射出ヘッド側室２９ｈへ付与され、ひいては、増圧が行われる。射出用バルブ４５は、射出ヘッド側室２９ｈの圧力がアキュムレータ４１の圧力よりも高くなることによって自閉する。ただし、射出用バルブ４５は、適宜な時期に閉じるパイロット圧力が導入されて閉じられてもよい。また、制御装置１３は、適宜な昇圧曲線が得られるように、速度用バルブ４９の開度を増圧用の適宜な開度とする。
【０１２４】
増圧ヘッド側室３３ｈの圧力は、射出開始前における射出ロッド側室２９ｒへの与圧の際に上昇し、その後、増圧ピストン３５の後退を抑制するように比較的高く（例えばタンク圧よりも高く）維持されている。従って、本実施形態の射出ロッド側室２９ｒへの与圧は、増圧用バルブ４７を開いてから増圧ヘッド側室３３ｈの圧力が上昇するまでの時間遅れを低減するという副次的な効果も奏することになる。
【０１２５】
なお、増圧用バルブ４７を開くための制御指令の出力時期に対して速度用バルブ４９の開度を増圧用のものにするための制御指令の出力時期を遅らすなど、両者は互いにずれていてもよい。また、増圧用バルブ４７を開くための制御指令の出力は、高速射出中に開始することも可能である。
【０１２６】
その後、増圧された射出ヘッド側室２９ｈの圧力による力と、プランジャ２３が溶湯から受ける圧力による力とが釣り合うことによって、射出圧力は一定となる（鋳造圧力となる。）。このとき、射出ロッド側室２９ｒの圧力は、例えば、タンク圧とされる（概ね０とされる。）。なお、適宜な時期に速度用バルブ４９を閉じることなどによって射出ロッド側室２９ｒからの作動液の排出を禁止し、射出ロッド側室２９ｒの圧力をタンク圧よりも高い適宜な圧力とし、これにより、任意の鋳造圧力を得てもよい。制御装置１３は、保圧工程においては、鋳造圧力が得られたときの状態を維持する。例えば、増圧用バルブ４７及び速度用バルブ４９は開かれたままとされる。
【０１２７】
（プランジャ後退等）
キャビティＣａに充填された溶湯が凝固すると、制御装置１３は保圧を終了する。具体的には、例えば、制御装置１３は、増圧用バルブ４７及び速度用バルブ４９を閉じる。また、既に述べたように、制御装置１３は、型締装置７による型開き及び押出装置１１による押し出しを行う。特に図示しないが、型開きの際には、制御装置１３は、プランジャ２３によってビスケットを押すように（押出追従を行うように）液圧装置２８を制御してもよい。
【０１２８】
型開き開始後、又は押出追従を行う場合はその後、制御装置１３は、射出装置９を射出開始前の初期状態に戻す。具体的には、例えば、射出装置９は、補助用バルブ５１をａ位置とする。すなわち、ポンプ３９と射出ロッド側室２９ｒ及び増圧ロッド側室３３ｒとを接続し、射出ヘッド側室２９ｈとタンク３７とを接続する。また、制御装置１３は、増圧ヘッド側室３３ｈも不図示の流路及びバルブを介してタンク３７と接続する。さらに、制御装置１３は、ポンプ３９の駆動を継続し、又は開始する。これにより、ポンプ３９から射出ロッド側室２９ｒ及び増圧ロッド側室３３ｒへ作動液が供給されて射出ピストン３１及び増圧ピストン３５が後退する。射出ヘッド側室２９ｈ及び増圧ヘッド側室３３ｈの作動液はタンク３７へ排出される。なお、射出ヘッド側室２９ｈ及び／又は増圧ヘッド側室３３ｈから排出される作動液は、タンク３７に代えて、アキュムレータ４１に充填されてもよい。
【０１２９】
特に図示しないが、射出ピストン３１及び増圧ピストン３５が後退限に到達した後、制御装置１３は、補助用バルブ５１を中立位置にし、また、ポンプ３９を継続的に駆動しない態様においてはポンプ３９を停止させる。すなわち、ポンプ３９による射出ロッド側室２９ｒ及び増圧ロッド側室３３ｒへの作動液の供給を停止する。
【０１３０】
プランジャ２３の後退が完了した後、制御装置１３は、射出用バルブ４５、増圧用バルブ４７及び補助用バルブ５１を閉じた状態で、ポンプ３９を駆動する。これにより、ポンプ３９からアキュムレータ４１へ作動液が供給され、アキュムレータ４１が充填される。そして、制御装置１３は、圧力センサ７１の検出する圧力が所定の設定圧力に到達すると、例えば、ポンプ３９の駆動を停止する。
【０１３１】
（第１変形例）
特に図示しないが、ポンプ３９から射出ヘッド側室２９ｈへ作動液を供給しつつ、射出ロッド側室２９ｒから速度用バルブ４９を介してタンク３７へ作動液を排出できるように液圧装置２８を変形してもよい。例えば、補助用バルブ５１を、ｂ位置において、ポンプ３９と第６流路４３Ｆ（射出ヘッド側室２９ｈ）とを接続し、第５流路４３Ｅ（射出ロッド側室２９ｒ）とタンク３７とを遮断するように構成する。
【０１３２】
そして、低速射出においては、補助用バルブ５１をｂ位置にし（図４の補助用バルブ５１に係る線図における２点鎖線参照）、ポンプ３９から射出ヘッド側室２９ｈへ作動液を供給して射出ピストン３１を前進させ、速度用バルブ４９によって射出ロッド側室２９ｒのプランジャ２３の速度を制御する。また、射出用バルブ４５は、高速射出の開始時に開かれる（図４の射出用バルブ４５に係る２点鎖線参照）。
【０１３３】
このようにポンプ３９から射出ヘッド側室２９ｈへ作動液を供給する場合においても、増圧ピストン３５によって予め射出ロッド側室２９ｒの作動液を圧縮しておくことにより、ジャンピングが抑制される。
【０１３４】
（第２変形例）
実施形態では、低速射出及び高速射出（狭義の射出）において、増圧用バルブ４７は閉じられた。ただし、図４の増圧用バルブ４７に係る線図における２点鎖線で示すように、狭義の射出において、増圧用バルブ４７の開度を絞り、アキュムレータ４１から増圧ヘッド側室３３ｈへ微量の作動液を供給するようにしてもよい。これにより、例えば、増圧ヘッド側室３３ｈの作動液が漏れても、増圧ピストン３５の後退を抑制することができる。
【０１３５】
（第３変形例）
アキュムレータ４１の充填後であって、射出ロッド側室２９ｒへの与圧のために増圧用バルブ４７が開かれるよりも前に、補助用バルブ５１がａ位置とされ（図４の補助用バルブ５１に係る線図における２点鎖線参照）、ポンプ３９から射出ロッド側室２９ｒ及び増圧ロッド側室３３ｒに液圧が付与されていてもよい。この場合、例えば、増圧ピストン３５によって与圧が行われる直前に、射出ロッド側室２９ｒの圧力を上昇させることができる、及び／又は、前サイクルの射出ピストン３１及び増圧ピストン３５の後退後、液漏れ等によって低下した射出ロッド側室２９ｒの圧力を増圧ピストン３５による与圧の直前に回復できる。その結果、例えば、増圧ピストン３５の移動量δを短くすることができる。
【０１３６】
以上のとおり、本実施形態では、射出装置９は、成形材料を前方の金型１０１内へ押し出すプランジャ２３を駆動する射出シリンダ２７と、射出シリンダ２７における作動液の流れを制御する液圧装置２８と、液圧装置２８を制御する制御装置１３とを有している。射出シリンダ２７において、射出ピストンロッド３２は、プランジャ２３の後部に連結される。射出ピストン３１は、射出ピストンロッド３２の後部に固定されている。射出シリンダ部２９は、射出ピストン３１を摺動可能に収容しており、内部が射出ピストン３１によって前方の射出ロッド側室２９ｒと、後方の射出ヘッド側室２９ｈとに区画されている。小径シリンダ部３３ａは、射出ヘッド側室２９ｈに通じている。大径シリンダ部３３ｂは、小径シリンダ部３３ａに直列に続いており、小径シリンダ部３３ａよりも径が大きい。小径ピストン３５ａは、小径シリンダ部３３ａに摺動可能に収容されている。大径ピストン３５ｂは、小径ピストン３５ａに直列に固定されており、大径シリンダ部３３ｂに摺動可能に収容されており、大径シリンダ部３３ｂ内を小径シリンダ部３３ａ側の増圧ロッド側室３３ｒと、その反対側の増圧ヘッド側室３３ｈとに区画している。制御装置１３は、射出開始前に、増圧ヘッド側室３３ｈへ作動液を供給して増圧ロッド側室３３ｒから射出ロッド側室２９ｒへ液圧を付与するように液圧装置２８を制御する与圧制御部１３ａを有している。
【０１３７】
従って、例えば、既に説明したように、射出開始時におけるジャンピングが生じるおそれを低減することができる。この際、増圧ピストン３５の増圧作用によって、射出ロッド側室２９ｒには増圧ヘッド側室３３ｈに付与される圧力よりも高い圧力を付与することができる。また、例えば、増圧用の増圧ピストン３５を用いて増圧作用を得ることから、射出シリンダ２７とは別に増圧用のシリンダを設ける必要がなく、そのような態様に比較して、射出装置９の小型化及び／又はコスト削減が図られる。射出ロッド側室２９ｒへの与圧（〜ｔ０）における増圧ピストン３５による増圧ロッド側室３３ｒの昇圧は、増圧（ｔ３〜）における増圧ピストン３５による小径シリンダ部３３ａ内の昇圧とは異なり、射出ヘッド側室２９ｈの昇圧に直結しない。従って、例えば、増圧ピストン３５を前進させつつも、射出ピストン３１の前進を抑制できる。増圧ピストン３５の増圧ロッド側室３３ｒに対する増圧作用は、増圧（ｔ３〜）における増圧ピストン３５による小径シリンダ部３３ａ内に対する増圧作用とは異なり、通常利用される作用ではない。このような増圧作用の利用によって上述の種々の効果を得ることができる本実施形態の構成は画期的なものである。
【０１３８】
本実施形態では、与圧制御部１３ａは、射出開始前における射出ロッド側室２９ｒへの与圧の際に射出ヘッド側室２９ｈの圧抜きを行うように液圧装置２８を制御する。
【０１３９】
従って、与圧の際に射出ピストン３１が前進するおそれを確実に抑制することができる。ひいては、例えば、オペレータが設定した、射出開始時のプランジャ２３の位置と速度との相対関係を高精度に実現することができる。
【０１４０】
本実施形態では、射出シリンダ２７は、射出シリンダ部２９に固定的な、射出ピストン３１の後退を規制するストッパ３６を有している。
【０１４１】
従って、射出開始前に射出ロッド側室２９ｒの圧力が上昇しても、射出ピストン３１の後退は抑制される。増圧ピストン３５に固定的に設けられたロッドを射出ピストン３１の後端に当接させて射出ピストン３１の後退を規制するような態様とは異なり、射出開始前における増圧ピストン３５の前進は、射出ピストン３１の前進に直結しない。
【０１４２】
本実施形態では、小径シリンダ部３３ａは、射出シリンダ部２９の後側に対して直列に続いている。小径シリンダ部３３ａの内径は、射出シリンダ部２９の内径よりも小さく、射出シリンダ部２９と小径シリンダ部３３ａとの間の段差によってストッパ３６が構成されている。
【０１４３】
従って、例えば、シリンダ部全体（２９及び３３）の内径の変化とは別個にストッパ３６を形成する必要がない。その結果、例えば、シリンダ部全体を構成する部材の数を低減し、シリンダ部の製造コストを下げることが容易化される。
【０１４４】
本実施形態では、射出ピストン３１の射出ヘッド側室２９ｈにおける受圧面積Ｓ１の、射出ピストン３１の射出ロッド側室２９ｒにおける受圧面積Ｓ２に対する比Ｓ１／Ｓ２に対する、大径ピストン３５ｂの増圧ヘッド側室３３ｈにおける受圧面積Ｓ３の、大径ピストン３５ｂの増圧ロッド側室３３ｒにおける受圧面積Ｓ４に対する比Ｓ３／Ｓ４の比（Ｓ３／Ｓ４）／（Ｓ１／Ｓ２）は、０．９以上１．２以下である。
【０１４５】
従って、例えば、増圧ピストン３５の増圧作用によって射出ロッド側室２９ｒに生じる射出開始前の圧力を、射出開始のためにアキュムレータ４１から射出ヘッド側室２９ｈに作動液を供給したときに射出ピストン３１の増圧作用によって射出ロッド側室２９ｒに生じる圧力に対して同等以上にすることが容易化される。その結果、例えば、ジャンピングがより確実に抑制される。（Ｓ３／Ｓ４）／（Ｓ１／Ｓ２）が１．１以上の場合は、例えば、射出開始前における射出ロッド側室２９ｒの圧力が静圧であり、射出のために作動液が供給される射出ヘッド側室２９ｈの圧力が動圧であることによってプランジャ２３が前進するおそれを低減しやすい。一方で、（Ｓ３／Ｓ４）／（Ｓ１／Ｓ２）が大きいと、増圧（ｔ３〜）における増圧ピストン３５の射出ヘッド側室２９ｈに対する増圧作用が低下してしまうが、１．２以下であれば、そのようなおそれが低減される。
【０１４６】
なお、第１実施形態において、ダイカストマシン１は成形機の一例であり、速度用バルブ４９は流量制御弁の一例である。
【０１４７】
＜第２実施形態＞
（射出駆動部の構成）
図５は、本開示の第２実施形態に係る射出装置２０９の構成を示す模式図である。
【０１４８】
第１実施形態の射出駆動部２５は、液圧式のものであった。これに対して、本実施形態の射出駆動部２２５は、液圧式と電動式とを組み合わせた、いわゆるハイブリッド式とされている。また、この相違に対応して、本実施形態の射出駆動部２２５の動作（制御装置１３による制御）も、第１実施形態のものとは異なっている。なお、本実施形態のその他の構成は、第１実施形態と同様である。
【０１４９】
具体的には、射出駆動部２２５は、第１実施形態と同様の射出シリンダ２７に加えて、電動式駆動部２８１を有している。
【０１５０】
第１実施形態の説明では省略したが、プランジャ２３の後端と、射出ピストンロッド３２の先端とは、例えば、カップリング２４によって連結されている。カップリング２４は、例えば、プランジャ２３の後端及び射出ピストンロッド３２の先端を収容するケース部材（符号省略）を有しており、ケース部材は、プランジャ２３及び射出ピストンロッド３２の間にこれらに対して拡径する部分を構成している。
【０１５１】
電動式駆動部２８１は、例えば、回転式の駆動用電動機２８３と、駆動用電動機２８３の回転を伝達する伝達機構２８５と、伝達機構２８５から伝達される回転を並進運動に変換する変換機構２８７と、変換機構２８７からの駆動力によってプランジャ２３の移動方向に駆動される被駆動部２９１とを有している。そして、被駆動部２９１からプランジャ２３へ駆動力が伝達されることによって、プランジャ２３は駆動される。
【０１５２】
駆動用電動機２８３は、例えば、特に図示しないが、公知のように、電機子又は界磁の一方を構成するステータと、電機子又は界磁の他方を構成するロータとを有している。駆動用電動機２８３の配置位置及び向きは適宜に設定されてよい。図示の例では、駆動用電動機２８３は、出力軸２８３ａが射出ピストンロッド３２に平行になるように配置されている。
【０１５３】
駆動用電動機２８３は、直流モータでも交流モータでもよいし、誘導モータでも同期モータでもよい。駆動用電動機２８３は、ブレーキ付きの電動機であってもよい。駆動用電動機２８３は、例えば、サーボモータとして構成されており、駆動用電動機２８３の回転を検出するエンコーダ２８３ｂと、駆動用電動機２８３に電力を供給する不図示のサーボドライバと共にサーボ機構を構成している。
【０１５４】
伝達機構２８５は、例えば、プーリ・ベルト機構により構成されており、駆動用電動機２８３の出力軸２８３ａに固定された第１プーリ２８５ａと、変換機構２８７に固定された第２プーリ２８５ｂと、第１プーリ２８５ａ及び第２プーリ２８５ｂに架け渡されたベルト２８５ｃとを有している。従って、駆動用電動機２８３が回転されると、その回転は伝達機構２８５を介して変換機構２８７に伝達される。
【０１５５】
変換機構２８７は、例えば、ボールねじ機構により構成されており、ねじ軸２８７ａと、ねじ軸２８７ａに不図示のボールを介して螺合するナット２８７ｂとを有している。
【０１５６】
ねじ軸２８７ａは、射出ピストンロッド３２に平行に配置されている。また、ねじ軸２８７ａは、軸方向の移動が規制されているとともに軸回りの回転が許容されている。一方、ナット２８７ｂは、軸方向の移動が許容されるとともに軸回りの回転が規制されている。従って、ねじ軸２８７ａが回転されると、ナット２８７ｂは射出ピストンロッド３２に平行な方向において移動する。
【０１５７】
上述の第２プーリ２８５ｂは、ねじ軸２８７ａと同心又は同軸に固定されている。従って、駆動用電動機２８３から伝達機構２８５を介して伝達された回転は、ねじ軸２８７ａに伝達される。ひいては、駆動用電動機２８３の駆動力によってナット２８７ｂが射出ピストンロッド３２に平行な方向において移動する。
【０１５８】
被駆動部２９１は、係合及び／又は着脱等によって、射出ピストンロッド３２に対する相対的な前進が規制されるとともに、射出ピストンロッド３２に対する相対的な後退が許容されるものである。なお、射出ピストンロッド３２とプランジャ２３とは連結されているから、ここでいう射出ピストンロッド３２に対する相対的な前進の規制及び後退の許容は、プランジャ２３に対する相対的な前進の規制及び後退の許容と同義である。
【０１５９】
具体的には、例えば、被駆動部２９１は、基部２９１ａと、基部２９１ａに揺動可能に支持されたフック２９１ｂと、フック２９１ｂを駆動する不図示のアクチュエータとを有している。
【０１６０】
基部２９１ａは、例えば、ナット２８７ｂに固定されている。また、基部２９１ａは、例えば、カップリング２４（被当接部）に対して後方から当接可能である。従って、基部２９１ａは、カップリング２４に対する当接により、射出ピストンロッド３２に対する相対的な前進が規制されるとともに、その当接位置から後方における射出ピストンロッド３２に対する相対的な後退が許容される。
【０１６１】
従って、基部２９１ａがカップリング２４に対して当接した状態で基部２９１ａを前進させることにより、プランジャ２３を前進させることができる。すなわち、駆動用電動機２８３の駆動力によりプランジャ２３を前進させることができる。また、射出ヘッド側室２９ｈへ作動液を供給して射出ピストンロッド３２を比較的高速に移動させることなどにより、プランジャ２３を基部２９１ａに対して相対的に前進させることが可能である。
【０１６２】
フック２９１ｂは、例えば、概ねＬ字状に形成されるとともに、一端が基部２９１ａによって回転可能に支持されている。そして、フック２９１ｂは、カップリング２４（被当接部、被係合部）に対してプランジャ２３の後退方向に係合可能な位置（図示の位置）と、当該係合が解除される位置（図示の位置から紙面下方へ移動した位置）との間で移動可能である。なお、フック２９１ｂは、係合位置において、基部２９１ａとでカップリング２４を挟持可能である。
【０１６３】
フック２９１ｂが係合されることにより、プランジャ２３の被駆動部２９１に対する相対的な前進が規制される。従って、例えば、電動式駆動部２８１によってプランジャ２３を前進させているときに減速制御を行ったり、射出後のプランジャ２３の後退を電動式駆動部２８１によって行ったりすることができる。
【０１６４】
フック２９１ｂを駆動する不図示のアクチュエータは、エアシリンダ又はリニアモータ等の適宜なものによって実現されてよい。なお、フック２９１ｂ及びアクチュエータは設けられなくてもよい。また、被駆動部２９１は、基部２９１ａの係合に加えて、又は代えて、例えば、電磁石で射出ピストンロッド３２と着脱されたり、射出ピストンロッド３２の径方向における挟持（ひいては摩擦抵抗）によって着脱されたりしてもよい。
【０１６５】
特に図示しないが、射出駆動部２２５は、電動式駆動部２８１を左右対称又は上下対称に１対有していてもよい。また、１対の電動式駆動部２８１は、１つの駆動用電動機２８３を共用していてもよい。伝達機構２８５を省略して駆動用電動機２８３の回転を直接的に変換機構２８７に伝達してもよい。また、図示の例とは逆に、ナット２８７ｂが軸方向に移動不可能かつ軸回りに回転可能とされ、ねじ軸２８７ａが軸方向に移動可能かつ軸回りに回転不可能とされ、被駆動部２９１がねじ軸２８７ａに固定され、駆動用電動機２８３の回転がナット２８７ｂに伝達されてもよい。
【０１６６】
（液圧系の構成）
図６は、射出駆動部２２５の液圧系の構成を模式的に示す、図２に相当する図である。
【０１６７】
射出駆動部２２５の液圧系は、例えば、第９流路２４３Ｉ及びリリーフ弁２９３が設けられている点のみが第１実施形態の射出駆動部２５の液圧系と相違する。
【０１６８】
第９流路２４３Ｉは、射出ロッド側室２９ｒとタンク３７とを接続している。なお、第９流路２４３Ｉの射出ロッド側室２９ｒ側の一部は、他の流路（４３Ｄ、４３Ｅ及び４３Ｇ）の一部と共通化されている。第９流路２４３Ｉのタンク３７側の一部は、他の流路（４３Ｄ及び４３Ｈ）の一部と共通化されている。
【０１６９】
リリーフ弁２９３は、第９流路２４３Ｉ（他の流路（４３Ｄ、４３Ｅ、４３Ｇ及び４３Ｈ）と共通化されていない部分）に設けられている。リリーフ弁２９３は、射出ロッド側室２９ｒの圧力が所定の設定圧を超えると射出ロッド側室２９ｒからタンク３７への作動液の流れを許容する。これにより、射出ロッド側室２９ｒの圧力は所定の設定圧以下に維持される。リリーフ弁２９３は、射出ロッド側室２９ｒの圧力が弁体に直接に作用するものであってもよいし、射出ロッド側室２９ｒの圧力がパイロット圧として利用されるものであってもよい。また、リリーフ弁２９３は、設定圧が手動で調整されるものであってもよいし、ソレノイド等によって調整されるものであってもよい。
【０１７０】
リリーフ弁２９３の設定圧は、適宜に設定されてよい。例えば、アキュムレータ４１から射出ヘッド側室２９ｈへ作動液を供給するとともに射出ロッド側室２９ｒから速度用バルブ４９を経由して排出される作動液の流量を高速射出用の流量としたと仮定したときに射出ロッド側室２９ｒに生じる圧力と同程度とされてよい。また、これよりも高い圧力とされてもよいし、低い圧力とされてもよい。
【０１７１】
（制御系の構成）
第１実施形態と同様に、制御装置１３においては、ＣＰＵがプログラムを実行することによって各種の機能部が構成される。具体的には、例えば、第１実施形態と同様に、与圧制御部１３ａ、射出制御部１３ｂ及び増圧制御部１３ｃが構築される。なお、より詳細には、各機能部に入力される信号、各機能部の演算及び各機能部の制御信号の出力先は、第１実施形態とは異なるが、便宜上、第１実施形態と同様の符号を各機能部に付している。
【０１７２】
制御装置１３に信号を入力する機器として、第１実施形態と異なるものは、例えば、エンコーダ２８３ｂである。また、制御装置１３が信号を出力する機器として、第１実施形態と異なるものは、例えば、駆動用電動機２８３（そのドライバ）及びフック２９１ｂを駆動する不図示のアクチュエータ（そのドライバ）である。
【０１７３】
（射出装置の動作）
図７は、射出装置２０９の動作を説明するためのタイミングチャートであり、第１実施形態の図４に対応する図である。
【０１７４】
図７の横軸及び縦軸等は、図４のものと同様である。ただし、図７では、図４で示した制御対象に加えて、駆動用電動機２８３が追加されている。
【０１７５】
射出装置２０９は、例えば、第１実施形態と同様に、射出ロッド側室２９ｒへの与圧（〜時点ｔ０）、低速射出（概ね時点ｔ０〜ｔ１）、高速射出（概ね時点ｔ１〜ｔ２）、及び増圧（昇圧、概ね時点ｔ３〜）を順に行う。具体的には、以下のとおりである。
【０１７６】
（射出開始前の与圧）
与圧開始前において、射出装置２０９の液圧系の状態は、例えば、第１実施形態の与圧開始前の状態と同様である。また、与圧開始前において、電動式駆動部２８１の基部２９１ａは、例えば、後退限に位置する射出ピストンロッド３２に後方から係合しており、また、フック２９１ｂは係合位置とされている。
【０１７７】
そして、制御装置１３は、第１実施形態と同様に射出ロッド側室２９ｒへの与圧を行う。ただし、本実施形態では、リリーフ弁２９３が設けられていることから、射出ロッド側室２９ｒの圧力は、リリーフ弁２９３の設定圧以上とはならない。電動式駆動部２８１は、そのイナーシャ、位置制御又はブレーキ（ブレーキ付の場合）等によって、射出ピストン３１の前進の抑制に寄与してもよい。
【０１７８】
（低速射出）
制御装置１３は、第１実施形態と同様に、射出開始条件が満たされると（時点ｔ０）、射出ロッド側室２９ｒへの与圧を終了し、低速射出を開始する。ただし、第１実施形態とは異なり、低速射出は、電動式駆動部２８１の駆動力によって行われる。
【０１７９】
具体的には、制御装置１３は、駆動用電動機２８３のドライバへ制御信号を出力して駆動用電動機２８３を駆動する。駆動用電動機２８３の駆動力は、伝達機構２８５、変換機構２８７及び被駆動部２９１を介してカップリング２４に伝達される。これにより、プランジャ２３及び射出ピストンロッド３２が前進する。
【０１８０】
この際、射出ピストン３１の前進に伴って容積が縮小する射出ロッド側室２９ｒの作動液は、リリーフ弁２９３を介してタンク３７へ排出される。リリーフ弁２９３の作用によって、射出ロッド側室２９ｒの圧力は、基本的に設定圧に保たれる。射出用バルブ４５及び速度用バルブ４９は、第１実施形態と異なり、低速射出では閉じられた状態が維持される。
【０１８１】
射出ピストン３１の前進に伴って容積が拡大する射出ヘッド側室２９ｈへの作動液の補給は、適宜になされてよい。例えば、補助用バルブ５１をａ位置として射出ヘッド側室２９ｈとタンク３７とを接続し（ポンプ３９は例えば停止）、負圧によって作動液を補給してよい。また、例えば、第１変形例において説明したような構成によって、ポンプ３９から射出ヘッド側室２９ｈへ作動液を補給してもよい。このとき、射出ヘッド側室２９ｈの作動液の圧力は、負圧が生じない程度とされてもよいし、タンク圧以上の圧力とされ、ポンプ３９が電動式駆動部２８１をアシストしてもよい。
【０１８２】
プランジャ２３の速度は、駆動用電動機２８３の回転数の調整により制御される。具体的には、制御装置１３は、位置センサ６９からの信号に基づいて駆動用電動機２８３の回転数をフィードバック制御する。なお、この速度フィードバック制御が、速度自体を偏差とするものであってもよいし、時々刻々の位置フィードバック制御であってもよいことは、第１実施形態と同様である。
【０１８３】
なお、低速射出において、フック２９１ｂは、カップリング２４に係合していてもよいし、係合していなくてもよい。係合している場合においては、例えば、減速を含む多段制御を行ったときに、慣性力によってプランジャ２３が基部２９１ａから離間して前進してしまうおそれを低減できる。
【０１８４】
（高速射出）
高速射出は、第１実施形態と同様に行われる。すなわち、射出用バルブ４５が開かれてアキュムレータ４１から射出ヘッド側室２９ｈへ作動液が供給されるとともに、速度用バルブ４９が開かれて射出ロッド側室２９ｒからタンク３７への作動液の排出が許容される。プランジャ２３の速度は、速度用バルブ４９における流量によって制御され、また、位置センサ６９からの信号に基づいてフィードバック制御される。
【０１８５】
リリーフ弁２９３からの作動液の排出は、設定圧が高くされることにより、又は第９流路２４３Ｉに設けられた不図示の弁が閉じられることによって禁止される。
【０１８６】
高速射出において、フック２９１ｂは、係合が解除される位置とされる。従って、射出シリンダ２７によって駆動されたプランジャ２３は、被駆動部２９１を置き去りにして前進する。これにより、電動式駆動部２８１は、プランジャ２３の前進を妨げる負荷とはならない。
【０１８７】
なお、図７では、高速射出において電動式駆動部２８１の駆動を停止する場合を例示している。ただし、例えば、電動式駆動部２８１は、低速射出後の適宜な時期に被駆動部２９１を後退させ、次の射出に備えてもよいし、下記の説明から理解されるように、低速射出に引き続いて被駆動部２９１を前進させてもよい。
【０１８８】
（減速、増圧、保圧、押出追従及びプランジャ後退）
減速、増圧、保圧、押出追従及びプランジャ後退は、第１実施形態と同様に行われてよい。ただし、低速射出に引き続いて被駆動部２９１を前進させ、溶湯からの力等によって減速されたプランジャ２３に被駆動部２９１を追い付かせ、電動式駆動部２８１を増圧、保圧及び押出追従のいずれかに寄与させてもよい。また、フック２９１ｂをカップリング２４に係合させて、電動式駆動部２８１の駆動力によってプランジャ２３を後退させてもよい。
【０１８９】
上記のように、本実施形態では、低速射出（別の観点では射出開始時）における速度制御は、電動式駆動部２８１によってなされる。電動機による速度制御は、液圧機器の制御に比較して精度が高く、また、電動機による速度制御の際には速度用バルブ４９を全開とすることも可能である。従って、第１実施形態に比較すると、ジャンピングが生じるおそれは低い。そして、射出開始前における射出ロッド側室２９ｒへの与圧によって、より確実にジャンピングを抑制することができる。
【０１９０】
また、低速射出において電動式駆動部２８１の駆動力によって射出ピストン３１が前進しているとき、射出ロッド側室２９ｒの作動液はリリーフ弁２９３の設定圧以下に維持される。射出開始前に射出ロッド側室２９ｒに付与された圧力がリリーフ弁２９３の設定圧以上であれば、低速射出の開始後、射出ロッド側室２９ｒの圧力は基本的に一定（設定圧）である。また、射出開始前に射出ロッド側室２９ｒに付与される圧力が設定圧よりも小さくても、低速射出の進行に伴って射出ロッド側室２９ｒの圧力は上昇し、一定（設定圧）に収束する。
【０１９１】
従って、射出開始前の与圧及びリリーフ弁２９３によって、電動式駆動部２８１によってプランジャ２３を駆動している間、射出ロッド側室２９ｒの圧力変動が抑制される。その結果、射出シリンダ２７における圧力変動が電動式駆動部２８１の制御に及ぼす影響が低減され、より高精度な制御が可能になる。
【０１９２】
また、本実施形態では、高速射出の開始時に、比較的高圧の液圧が射出ヘッド側室２９ｈに付与されることになるから、このときにジャンピングが生じるおそれがある。しかし、低速射出において射出ロッド側室２９ｒの圧力はリリーフ弁２９３の設定圧に維持されていることから、低速射出において射出ロッド側室２９ｒの圧力がタンク圧とされている態様に比較して、ジャンピングが生じるおそれが低減される。
【０１９３】
なお、この実施形態においても、第２変形例及び第３変形例が適用されてよい。
【０１９４】
＜第３実施形態＞
（射出駆動部の構成）
図９は、本開示の第３実施形態に係る射出装置４０９の構成を示す模式図である。なお、この図では、便宜上、タンク３７を２つの位置に示しているが、実際には、タンク３７は１つとされてよい。
【０１９５】
第１及び第２実施形態では、基本的に、増圧ピストン３５を駆動するときだけ（換言すれば射出ロッド側室２９ｒへの与圧及び増圧のときだけ）、増圧用バルブ４７が開かれてアキュムレータ４１から増圧ヘッド側室３３ｈへ液圧が付与された。一方、本実施形態では、増圧ピストン３５を駆動しないときも含めて継続的にアキュムレータ４１から増圧ヘッド側室３３ｈへ液圧が付与される。そして、増圧ロッド側室３３ｒからの作動液の排出を制御することによって、増圧ピストン３５の駆動が制御される（与圧及び増圧が行われる。）。具体的には、以下のとおりである。
【０１９６】
射出装置４０９の射出駆動部４２５は、第１実施形態と同様に、液圧式のものとされてもよいし、第２実施形態と同様に、ハイブリッド式のものとされてもよい。以下では、液圧式の態様を例に取る。
【０１９７】
射出駆動部４２５の液圧装置４２８において、第１実施形態の液圧装置２８と相違する構成要素は、例えば、増圧ヘッド用バルブ４４７、増圧ロッド用バルブ４８１及び与圧用バルブ４８３である。
【０１９８】
増圧ヘッド用バルブ４４７は、アキュムレータ４１と増圧ヘッド側室３３ｈとを接続する第３流路４３Ｃにおいて、第１実施形態の増圧用バルブ４７に代えて設けられている。増圧ヘッド用バルブ４４７は、増圧用バルブ４７と同様に、アキュムレータ４１から増圧ヘッド側室３３ｈへの作動液の流れを許容又は禁止する。
【０１９９】
増圧ヘッド用バルブ４４７は、増圧用バルブ４７と同様の構成とされても構わないが、ここでは異なる構成を例示している。具体的には、例えば、増圧ヘッド用バルブ４４７は、パイロット式の逆止弁により構成されている。そして、増圧ヘッド用バルブ４４７は、パイロット圧が導入されていないときは、アキュムレータ４１から増圧ヘッド側室３３ｈへの作動液の流れを許容するとともに、その反対方向の流れを禁止し、パイロット圧が導入されているときは、双方の流れを禁止する。
【０２００】
増圧ロッド用バルブ４８１は、増圧ロッド側室３３ｒとタンク３７とを接続する流路（符号省略）に設けられた流量制御弁であり、例えば、増圧ロッド側室３３ｒからタンク３７へ排出される作動液の流量の制御に寄与する。この流量の制御により、例えば、増圧ピストン３５によって増圧を行うときの昇圧曲線が制御される。
【０２０１】
増圧ロッド用バルブ４８１は、圧力補償を行うもの（流量調整弁）であってもよし、圧力補償を行わないものであってもよい。また、増圧ロッド用バルブ４８１の制御方式は、例えば、ばね式、電磁式及びパイロット式並びにこれらの２つ以上の組み合わせのいずれであってもよい。増圧ロッド用バルブ４８１は、フィードバック制御がなされるサーボバルブであってもよいし、オープン制御がなされる比例弁であってもよい。図９では、増圧ロッド用バルブ４８１として、ばねによりノーマル位置で閉位置とされ、電磁力とパイロット圧力とが順次作動して開かれる流量調整弁が図示されている。
【０２０２】
与圧用バルブ４８３は、第７流路４３Ｇに設けられており、例えば、増圧ロッド側室３３ｒから射出ロッド側室２９ｒへの作動液の流れを許容又は禁止する。当該流れが許容されることによって、例えば、射出開始前における射出ロッド側室２９ｒへの与圧が行われる。
【０２０３】
与圧用バルブ４８３は、例えば、パイロット式の逆止弁により構成されている。そして、与圧用バルブ４８３は、パイロット圧が導入されていないときは、増圧ロッド側室３３ｒから射出ロッド側室２９ｒへの作動液の流れを許容するとともに、その反対方向の流れを禁止し、パイロット圧が導入されているときは、双方の流れを禁止する。
【０２０４】
液圧装置４２８のその他の構成は、第１実施形態の液圧装置２８と同様でよい。なお、図９では、第１実施形態においては図示を省略した圧力センサ７３及び７５が図示されている。圧力センサ７３は、射出ロッド側室２９ｒの圧力を検出する。圧力センサ７５は、射出ヘッド側室２９ｈの圧力を検出する。制御装置１３は、両センサの圧力に基づいて射出圧力を特定することができる。
【０２０５】
制御装置１３は、第１実施形態において説明した機能部に加えて、例えば、アキュムレータ４１から増圧ヘッド側室３３ｈへの継続的な液圧の付与を制御するヘッド制御部１３ｄを有している。
【０２０６】
（射出装置の動作）
図１０は、射出装置４０９の動作を説明するためのタイミングチャートであり、第１実施形態の図４に対応する図である。
【０２０７】
図１０の横軸及び縦軸等は、図４のものと同様である。ただし、図１０では、増圧用バルブ４７の動作に代えて、増圧ヘッド用バルブ４４７の動作が示されている。また、与圧用バルブ４８３及び増圧ロッド用バルブ４８１の動作が追加されている。
【０２０８】
射出装置４０９は、例えば、第１実施形態と同様に、射出ロッド側室２９ｒへの与圧（〜時点ｔ０）、低速射出（概ね時点ｔ０〜ｔ１）、高速射出（概ね時点ｔ１〜ｔ２）、及び増圧（昇圧、概ね時点ｔ３〜）を順に行う。具体的には、以下のとおりである。
【０２０９】
（射出開始前の与圧）
与圧開始前において、射出装置４０９の状態は、基本的に第１実施形態と同様である。また、第１実施形態では設けられていなかった増圧ヘッド用バルブ４４７、与圧用バルブ４８３及び増圧ロッド用バルブ４８１は、例えば、閉じられている。
【０２１０】
そして、制御装置１３は、第１実施形態で説明した与圧開始条件が満たされると、増圧ヘッド用バルブ４４７を開き、与圧用バルブ４８３を開き、補助用バルブ５１をａ位置にする。これにより、第１実施形態と同様に射出開始前における射出ロッド側室２９ｒの与圧が行われる。なお、図示の例では、上記３つのバルブのタイミングが同時である場合を例示しているが、増圧ヘッド用バルブ４４７を他のバルブよりも先又は後に開くなど、これらのタイミングは適宜に変更可能である。
【０２１１】
（低速射出、高速射出及び減速）
制御装置１３は、第１実施形態で説明した射出開始条件が満たされると（時点ｔ０）、射出ロッド側室２９ｒへの与圧を終了して低速射出を開始する。具体的には、例えば、制御装置１３は、与圧用バルブ４８３を閉じ、これにより、増圧ロッド側室３３ｒから射出ロッド側室２９ｒへの液圧の供給を停止する。また、制御装置１３は、例えば、補助用バルブ５１を中立位置とし、射出ヘッド側室２９ｈ及び小径シリンダ部３３ａからタンク３７への作動液の排出を禁止する。これにより、射出開始の準備がなされる。
【０２１２】
ここで、第１実施形態とは異なり、制御装置１３は、増圧ヘッド用バルブ４４７を開いたままとし、アキュムレータ４１から増圧ヘッド側室３３ｈへの液圧の供給を継続する。ただし、増圧ロッド側室３３ｒからの作動液の排出が各種の弁（５１、４８１及び４８３）によって規制されていることから、増圧ピストン３５は、理論上は、前進せず、また、アキュムレータ４１（増圧ヘッド側室３３ｈ）の圧力を増圧して射出ヘッド側室２９ｈに付与する作用も生じない。
【０２１３】
その後、射出開始から増圧開始までは、射出装置４０９の動作は、基本的に、第１実施形態の射出装置９の動作と同様とされてよい。なお、増圧ヘッド用バルブ４４７は、例えば、開かれた状態が維持される。増圧ロッド用バルブ４８１は、例えば、閉じられた状態が維持される。与圧用バルブ４８３は、例えば、閉じられた状態が維持される。
【０２１４】
（増圧及び保圧）
射出装置４０９は、所定の増圧開始条件が満たされると、増圧を開始する（ｔ３）。増加開始条件は適宜に設定されてよい。
【０２１５】
例えば、射出が進行すると、当然に、プランジャ２３は前方へ移動する。従って、プランジャ２３が所定の増圧開始位置に到達したことを増圧開始条件としてよい。増圧開始位置に到達したか否かに供されるプランジャ２３の位置は、例えば、位置センサ６９によって検出される。なお、例えば、プランジャ２３の目標位置の時系列に従って、時々刻々と目標位置が実現されるように位置制御が行われ、これにより実質的に速度制御が行われているような場合においては、所定の時刻が到来したときに増圧開始位置に到達したと判定されてもよい。
【０２１６】
また、キャビティＣａ内に溶湯が充填されていくと、プランジャ２３は、キャビティＣａ内の溶湯から受ける力によって減速する。従って、射出速度が所定の増圧開始速度まで降下したことを増圧開始条件としてよい。増圧開始速度まで降下したか否かに供される射出速度は、例えば、位置センサ６９の検出値に基づいて得られる。
【０２１７】
また、キャビティＣａ内に溶湯が充填されていくと、射出圧力（例えばプランジャ２３が溶湯に付与する圧力）は上昇する。従って、射出圧力が所定の増圧開始圧力まで上昇したことを増圧開始条件としてよい。増圧開始圧力まで上昇したか否かに供される射出圧力は、例えば、圧力センサ７３及び７５の検出値に基づいて得られる。
【０２１８】
増圧開始位置、増圧開始速度及び／又は増圧開始圧力を含む増圧開始条件は、オペレータによって設定されてもよいし、制御装置１３が他の鋳造条件等に基づいて設定してもよい。
【０２１９】
制御装置１３は、増圧の開始のために、例えば、増圧ロッド用バルブ４８１を開く。これにより、増圧ピストン３５の前進が許容され、増圧ヘッド側室３３ｈの圧力よりも高く増圧された圧力が射出ヘッド側室２９ｈに付与される。
【０２２０】
このとき、制御装置１３は、所望の昇圧曲線が得られるように、増圧ロッド用バルブ４８１によって増圧ロッド側室３３ｒから排出される作動液の流量制御を行う。速度用バルブ４９は、例えば、全開とされる。すなわち、速度用バルブ４９による流量制御は行われない。ただし、両バルブの流量制御によって所望の昇圧曲線を得るようにしてもよい。
【０２２１】
射出用バルブ４５は、第１実施形態と同様に、自閉するか、パイロット圧力の導入によって閉じられる。なお、後者の場合、パイロット式の弁の時間遅れとサーボバルブの時間遅れとの差を考慮して、射出用バルブ４５を閉じる指令を出力するタイミングを、増圧ロッド用バルブ４８１を開く指令を出力するタイミングよりも若干早くしてよい。
【０２２２】
その後、第１実施形態と同様に、増圧された射出ヘッド側室２９ｈの圧力による力と、プランジャ２３が溶湯から受ける圧力による力とが釣り合うことによって、射出圧力は一定となる（鋳造圧力となる。）。このとき、射出ロッド側室２９ｒの圧力及び増圧ロッド側室３３ｒの圧力は、例えば、タンク圧とされる。なお、適宜な時期に増圧ロッド用バルブ４８１及び／又は速度用バルブ４９を閉じることなどによって、任意の鋳造圧力を得てもよい。
【０２２３】
制御装置１３は、保圧工程においては、鋳造圧力が得られたときの状態を維持する。保圧工程が終了すると、制御装置１３は、例えば、増圧ヘッド用バルブ４４７及び増圧ロッド用バルブ４８１を閉じる。その他は、第１実施形態と同様である。
【０２２４】
以上のとおり、本実施形態においても、射出装置４０９は、射出開始前に、増圧ヘッド側室３３ｈへ作動液を供給して増圧ロッド側室３３ｒから射出ロッド側室２９ｒへ液圧を付与する。従って、第１及び第２実施形態と同様の効果が奏される。例えば、射出開始時におけるジャンピングが生じるおそれを低減することができる。
【０２２５】
また、本実施形態では、液圧装置４２８は、増圧ヘッド側室３３ｈへ作動液を供給するアキュムレータ４１と、増圧ロッド側室３３ｒから排出される作動液の流量を制御する増圧ロッド用バルブ４８１と、を有している。制御装置１３は、射出ロッド側室２９ｒへの（少なくとも）与圧から増圧完了まで継続してアキュムレータ４１から増圧ヘッド側室３３ｈへ作動液を供給するように液圧装置４２８を制御するヘッド制御部１３ｄと、増圧ロッド用バルブ４８１を開くことにより増圧を開始するように液圧装置４１８を制御する増圧制御部１３ｃと、を有している。
【０２２６】
従って、例えば、昇圧特性を向上させることができる。具体的には、以下のとおりである。
【０２２７】
第１又は第２実施形態において、制御装置１３が増圧用バルブ４７を開く指令を出力してから実際に増圧ピストン３５が前進するまでには時間遅れが生じる。ひいては、好適なタイミングで増圧を開始できないおそれがある。その理由としては、例えば、増圧用バルブ４７から増圧ヘッド側室３３ｈまでの作動液が圧縮されるまでに時間を要することが挙げられる。
【０２２８】
しかし、本実施形態においては、増圧開始前から増圧ヘッド側室３３ｈに液圧を付与していることから、そのような不都合は生じない。なお、図１０では、図４及び図７に比較して、時点ｔ３〜ｔ４までの昇圧曲線が急峻に示されることによって、当該効果が表されている。
【０２２９】
第１又は第２実施形態においては、上記のような時間遅れを解消するために、既述の増圧開始条件が満たされる前に増圧用バルブ４７を開き、その後、増圧開始条件が満たされたときに速度用バルブ４９の開度を増圧用のものにする制御が行われてよい。
【０２３０】
ただし、この場合、種々のデメリットも生じる。例えば、増圧開始よりも前に増圧ピストン３５を前進させるから、増圧ピストン３５のストロークが長くなる。また、増圧開始よりも前（狭義の射出完了前）に増圧ピストン３５が前進を開始すると、その増圧作用によって射出ヘッド側室２９ｈの圧力が高くなり、アキュムレータ４１から射出用バルブ４５を経由して射出ヘッド側室２９ｈへ流れる作動液の流量が減少する。その結果、狭義の射出において、意図していない減速がなされる。また、金型毎に増圧用バルブ４７を開くタイミングを設定しなければならない。
【０２３１】
しかし、本実施形態では、増圧ロッド側室３３ｒからの作動液の排出を禁止することによって増圧ピストン３５の前進及び増圧作用を規制した状態で、予めアキュムレータ４１から増圧ヘッド側室３３ｈへ液圧が付与される。すなわち、上記のような増圧開始前に増圧用バルブ４７を開くことによる不都合を生じることなく、予め増圧ヘッド側室３３ｈへ液圧を付与しておくことができる。
【０２３２】
また、第１又は第２実施形態では、速度用バルブ４９の流量制御によって、狭義の射出における速度制御と、増圧における圧力制御との双方を行っている。その結果、例えば、速度制御から圧力制御へ切り替えるときに、射出圧力が一時的に低下して昇圧特性が悪化するおそれがある。これは、例えば、増圧ヘッド側室３３ｈの作動液の圧縮完了前に速度用バルブ４９の制御が開始されてしまうことによる。また、例えば、射出速度の目標値を変更した場合に、速度制御から圧力制御へ切り替えるタイミングの補正等が必要になる。また、制御精度の低下が生じるおそれもある。
【０２３３】
しかし、本実施形態では、増圧ロッド側室３３ｒから排出される作動液の流量の制御によって圧力制御を行う。別の観点では、速度制御用の流量制御と、圧力制御用の流量制御とは別個に行われる。その結果、上記のような不都合が解消される。例えば、昇圧特性が向上する。昇圧特性の向上により、例えば、冷却の早い薄肉ダイカスト品の鋳造が容易化される。
【０２３４】
また、仮に、複数のショット間で給湯量にばらつきが生じると、プランジャ２３の位置と溶湯の充填の進行状況との相対関係にばらつきが生じ、ひいては、ダイカスト品の品質にばらつきが生じる。しかし、本実施形態では、増圧開始速度及び／又は増圧開始圧力に基づいて増圧を開始することによって、給湯量にばらつきが生じても適切なタイミングで増圧を開始することができる。従って、昇圧特性の向上と相俟って、品質が高いダイカスト品を安定的に生産できる。
【０２３５】
なお、第１及び第２実施形態は、本実施形態に比較すると、例えば、流量制御弁が１つでよく、コストを下げることができる等の効果を奏する。従って、ユーザに要求される仕様等に応じて、第１〜第３実施形態のいずれかが適宜に選択されてよい。
【０２３６】
第３実施形態において、増圧ロッド用バルブ４８１は、増圧側流量制御弁の一例である。
【０２３７】
＜シリンダ部の変形例＞
図８（ａ）及び図８（ｂ）は、シリンダ部の変形例を示している。なお、以下のシリンダ部は、第１〜第３実施形態のいずれに適用されてもよいが、以下の説明では、第１実施形態の符号等を用いる。また、第１実施形態と相違があっても、その相違が主として寸法である構成については、第１実施形態と同一の符号を付している。
【０２３８】
（第４変形例）
実施形態では、小径シリンダ部３３ａの内径ｄ４は、射出シリンダ部２９の内径ｄ１よりも小さくされ、その段差によってストッパ３６が構成された。これに対して、図８（ａ）に示す変形例に係る射出シリンダ３０１では、内径ｄ４は内径ｄ１と同等とされている。
【０２３９】
そして、射出ピストン３１の後退限を規定するストッパ３０３は、射出シリンダ部２９の内面及び小径シリンダ部３３ａの内面から突出する凸部によって構成されている。この凸部は、例えば、射出シリンダ部２９の内周面の全周に亘って延びている（環状に形成されている。）。
【０２４０】
このように、内径ｄ４は、内径ｄ１よりも小さくなくてもよい。また、別の観点では、ストッパは、シリンダ室間の内面の段差によって構成されるものに限定されない。特に図示しないが、内径ｄ４は、内径ｄ１よりも大きくされてもよい。
【０２４１】
なお、図８（ａ）では、ストッパ３０３の構成方法として、射出シリンダ部２９の内面に嵌合する筒状部と、当該筒状部から外側に突出するフランジ部とを有する部材を射出シリンダ部２９と小径シリンダ部３３ａとの間に介在させている場合を例示している。ただし、実施形態の説明でも述べたように、シリンダ部等を構成する部材の数及びその分割位置は適宜に設定されてよい。
【０２４２】
（第５変形例）
実施形態では、増圧シリンダ部３３は、射出シリンダ部２９に対して直列（例えば同軸状）につながるように設けられた。これに対して、図８（ｂ）に示す射出シリンダ３１１では、増圧シリンダ部３３は、射出シリンダ部２９に対して交差（例えば直交）するように設けられている。
【０２４３】
また、別の観点では、小径シリンダ部３３ａは、直接的に射出ヘッド側室２９ｈに通じるのではなく、流路３１３を介して射出ヘッド側室２９ｈに通じている。なお、図示の例では、流路３１３は、ブロック状の部材内に構成されているが、剛体からなる管状部材又は可撓性のホースによって構成されていてもよい。特に図示しないが、射出シリンダ部２９と増圧シリンダ部３３とは直接的に固定されていなくてもよい。
【０２４４】
本開示に係る技術は、以上の実施形態に限定されず、種々の態様で実施されてよい。
【０２４５】
成形機は、ダイカストマシンに限定されない。例えば、成形機は、他の金属成形機であってもよいし、樹脂を成形する射出成形機であってもよいし、木粉に熱可塑性樹脂等を混合させた材料を成形する成形機であってもよい。成形材料は、液状のものに限定されず、ある程度の粘度を有するものであってもよい。例えば、金属材料は、固液共存金属（半凝固金属又は半溶融金属）であってもよい。
【０２４６】
また、成形機は、横型締横射出に限定されず、例えば、縦型締縦射出、横型締縦射出、縦型締横射出であってもよい。成形機がダイカストマシンである場合において、ダイカストマシンは、コールドチャンバマシンに限定されず、ホットチャンバマシンであってもよい。
【０２４７】
型締装置等の射出装置以外の構成は、公知の種々の構成とされてよい。例えば、実施形態では、型締装置としてトグル式のものを示したが、型締装置は、型開閉と型締めとで別個の駆動源を用いる複合式のものであってもよい。また、例えば、型締装置は、全電動式であってもよいし、全液圧式であってもよい。
【０２４８】
射出シリンダ部と増圧シリンダ部とが直列に接続されている場合において、両者は偏心していてもよい。また、小径シリンダ部と大径シリンダ部とは偏心していてもよい。
【０２４９】
実施形態で示した液圧回路は一例に過ぎず、流路及びバルブは適宜に設定されてよい。例えば、実施形態では、増圧ロッド側室のタンク及び／又はポンプとの接続及び遮断は、射出ロッド側室のタンク及び／又はポンプとの接続及び遮断と完全に共通化されたが、別個に制御可能に流路及びバルブが設けられてもよい。増圧ロッド側室と射出ロッド側室とを連通する流路にバルブが設けられてもよい。
【０２５０】
射出において、射出ロッド側室から排出される作動液は、タンクではなく、流量制御弁（速度用バルブ）を介して射出ヘッド側室へ還流されてもよい。すなわち、ランアラウンド回路が設けられてもよい。液圧装置は、メータアウト回路に加えて、メータイン回路を有していてもよい。
【０２５１】
射出開始前における射出ロッド側室への与圧のために増圧ヘッド側室へ作動液を供給する液圧源は、アキュムレータに限定されず、例えば、ポンプであってもよい。また、別の観点では、与圧のために増圧ヘッド側室へ作動液を供給する液圧源は、射出のために射出ヘッド側室へ作動液を供給する液圧源と同一であってもよいし、同一でなくてもよく、また、増圧及び／又は保圧のために増圧ヘッド側室へ作動液を供給する液圧源と同一であってもよいし、同一でなくてもよい。実施形態では、アキュムレータ４１は、射出と増圧とに兼用されたが、射出用のアキュムレータと、増圧用のアキュムレータとが設けられてもよい。
【０２５２】
射出開始前における射出ロッド側室への与圧は、前サイクルの増圧ピストンの後退の後であれば適宜な時期に開始されてよく、また、実施形態の説明でも言及したように、射出開始まで継続されている必要はない。射出開始時（例えば速度用バルブ４９を開く時、又は駆動用電動機２８３を駆動する時）の射出ロッド側室の圧力が、射出開始前の与圧が行われなかったと仮定した場合に比較して、多少なりとも高くなっていればよい。逆に言えば、前サイクルの増圧ピストンの後退の後、増圧ヘッド側室に作動液が供給されて増圧ロッド側室の液圧が射出ロッド側室に付与される動作がなされ、かつその後の射出開始時に、前記の動作が行われなかったと仮定した場合よりも射出ロッド側室の圧力が多少なりとも高くなっていれば、射出開始前の与圧が行われたといえる。
【０２５３】
実施形態で示した構成は、メータアウト回路によって射出ロッド側室から排出される作動液の流量が制限される場合において生じるジャンピングの抑制という課題から着想されている。ただし、その課題を解決するために得られた構成乃至は動作は、メータアウト回路を前提としないし、ジャンピングの抑制という用途に用いられなくてもよい。例えば、第２実施形態の低速射出の動作から理解されるように、メータアウト回路が機能しておらず、リリーフ弁が設けられているような状態において、射出開始前における射出ロッド側室への与圧は、射出ロッド側室の圧力変動を一定にして電動機によるプランジャの位置及び速度の制御を高精度化することに寄与する。
【０２５４】
なお、第２実施形態からは、射出開始前の与圧を要件としない以下の射出装置を抽出可能である。
成形材料を前方の金型内へ押し出すプランジャの後部に連結される射出ピストンロッド、前記射出ピストンロッドの後部に固定されている射出ピストン、及び前記射出ピストンを摺動可能に収容している射出シリンダ部を有しており、前記射出シリンダ部の内部が前方の射出ロッド側室と、後方の射出ヘッド側室とに区画されている射出シリンダと、
前記射出ヘッド側室に作動液を供給可能な液圧装置と、
前記射出ピストンロッドを前記射出シリンダ部に対して駆動可能な電動式駆動部と、
を有しており、
前記液圧装置は、前記射出ロッド側室の圧力が所定の圧力を超えたときに前記射出ロッド側室から作動液を排出させるリリーフ弁を有している
射出装置。
【０２５５】
上記の射出装置においては、例えば、射出開始前の与圧を行わなくても、低速射出の間において射出ロッド側室からの作動液の排出をリリーフ弁からのみ許容すれば、高速射出の開始までに射出ロッド側室の圧力がリリーフ弁の設定圧まで上昇する。その結果、高速射出の開始時のジャンピングが抑制される。
【０２５６】
なお、第３実施形態から抽出される、増圧ヘッド側室へ継続して作動液を供給しつつ、増圧側流量制御弁を開くことにより増圧を開始する射出装置においては、例えば、昇圧曲線を向上させることができる効果が奏される。また、上記の射出装置において、「増圧開始前」は、第３実施形態とは異なり、狭義の射出開始前（例えば低速射出前）に限定されず、狭義の射出が開始された後であってもよいし、高速射出が開始された後であってもよい。ただし、増圧開始前に増圧ヘッド側室の作動液の圧縮が完了するタイミングで、アキュムレータから前記増圧ヘッド側室への液圧の付与が開始されることが好ましい。
【符号の説明】
【０２５７】
１…ダイカストマシン、９…射出装置、１３…制御装置、１３ａ…与圧制御部、２１…スリーブ、２３…プランジャ、２７…射出シリンダ、２８…液圧装置、２９…射出シリンダ部、２９ｒ…射出ロッド側室、２９ｈ…射出ヘッド側室、３１…射出ピストン、３２…射出ピストンロッド、３３…増圧シリンダ部、３３ａ…小径シリンダ部、３３ｂ…大径シリンダ部、３３ｒ…増圧ロッド側室、３３ｈ…増圧ヘッド側室、３５…増圧ピストン、３５ａ…小径ピストン、３５ｂ…大径ピストン、１０１…金型。
【図１】
2019181537.tif 000003
【図２】
2019181537.tif 000004
【図３】
2019181537.tif 000005
【図４】
2019181537.tif 000006
【図５】
2019181537.tif 000007
【図６】
2019181537.tif 000008
【図７】
2019181537.tif 000009
【図８】
2019181537.tif 000010
【図９】
2019181537.tif 000011
【図１０】
2019181537.tif 000012